(57)【特許請求の範囲】
【請求項１】
ユーザ機器における方法であって、該方法は、ユーザ機器とネットワークノードとの間で通信を確立する方法であり、該方法は、
該ネットワークノードから制御チャネルメッセージを受信することと、
ブラインド復号化を用いて、該制御チャネルメッセージを復号することと、
該ブラインド復号化に基づいて、該制御チャネルメッセージを送信するために使用される第１の数の伝送アンテナポートを決定することと、
第２の数のアンテナポートからの信号を受信する能力を示す１ビットを含む情報要素を送信することと、
該情報要素を送信した後に、アンテナポート情報を含む無線リソース制御メッセージを受信することと
を含む、方法。
【請求項２】
前記制御チャネルメッセージは、２つのアンテナポートを使用して送信され、前記無線リソース制御メッセージは、前記ネットワークノードが４つの伝送アンテナポートを使用することが可能であることを示す、請求項１に記載の方法。
【請求項３】
無線リソース制御を通して、前記ネットワークノードが４つの伝送アンテナポートを使用することが可能であるという信号伝達を受信することをさらに含む、請求項１に記載の方法。
【請求項４】
前記ユーザ機器の能力を示すものを送信することは、前記第２の数のアンテナポートから信号を受信する相互運用性が該ユーザ機器に対してサポートされているかどうかを示すものを送信することを含み、該示すものは、特徴グループインジケータの一部として送信される、請求項１に記載の方法。
【請求項５】
前記示すものが、前記ユーザ機器が、前記第２の数のアンテナポートを用いて受信することが可能であることが該ユーザ機器に対してサポートされていることを特定する場合、前記第１の数のアンテナポートが制御チャネル上の通信に使用され、該第２の数のアンテナポートがユーザ機器特有の物理ダウンリンク共有チャネル上の通信に使用される、請求項１に記載の方法。
【請求項６】
同じアンテナ構成を有する物理ハイブリッドＡＲＱインジケータチャネル（ＰＨＩＣＨ）をＰＨＩＣＨグループにグループ化することをさらに含む、請求項１に記載の方法。
【請求項７】
異なるアンテナ構成を有する物理ハイブリッドＡＲＱインジケータチャネル（ＰＨＩＣＨ）をＰＨＩＣＨグループにグループ化することをさらに含む、請求項１に記載の方法。
【請求項８】
前記示すものが、前記ユーザ機器が、該ユーザ機器による前記第２の数のアンテナポートを用いて受信することが可能であることを特定する場合、前記第１の数のアンテナポートが共通制御チャネル上の通信に使用され、該第２の数のアンテナポートがユーザ機器特有のチャネル上の通信に使用される、請求項１に記載の方法。
【請求項９】
前記示すものが、前記ユーザ機器が、前記第２の数のアンテナポートを用いて受信することが可能ではないことを特定する場合、前記第１の数のアンテナポートが全チャネル上の通信に使用される、請求項１に記載の方法。
【請求項１０】
前記示すものが、前記ユーザ機器が、前記第２の数のアンテナポートを用いて受信することが可能ではないことを特定する場合、該第２の数のアンテナポートが制御チャネル上の通信に使用され、前記第１の数のアンテナポートがユーザ機器特有の物理ダウンリンク共有チャネル上の通信に使用される、請求項１に記載の方法。
【請求項１１】
前記ユーザ機器によって信号を受信する前記能力を示すものが、前記第２の数のアンテナポートの相互運用性が認証されていないことを特定する場合、該第２の数のアンテナポートがユーザ機器特有の制御チャネル上の通信に使用され、該第２の数のアンテナポートおよび第１の数のアンテナポートがユーザ機器特有の物理ダウンリンク共有チャネル上の通信に使用される、請求項１に記載の方法。
【請求項１２】
前記第２の数のアンテナポートおよび前記第１の数のアンテナポートは、伝送ダイバーシティおよび空間多重化のうちの１つを使用して伝送する、請求項１１に記載の方法。
【請求項１３】
前記ユーザ機器によって信号を受信する前記能力を示すものが、前記第２の数のアンテナポートの相互運用性が認証されていることを特定する場合、該第２の数のアンテナポートが全チャネル上の通信に使用される、請求項１に記載の方法。
【請求項１４】
ネットワークにおける方法であって、該方法は、ユーザ機器と該ネットワークとの間で通信を確立する方法であり、該方法は、
制御チャネルメッセージを符号化することと、
該符号化された制御チャネルメッセージをユーザ機器に送信することであって、該符号化された制御メッセージが、第１の数のアンテナポートのインジケータで符号化される、ことと、
第２の数のアンテナ能力を示すメッセージを送信することと、
第２の数のアンテナポートから信号を受信する該ユーザ機器の能力を示す１ビットを含む情報要素を受信することと、
該情報要素を受信した後に、第２の数のアンテナ能力を示す無線リソース制御メッセージを送信することと
を含む、方法。
【請求項１５】
前記符号化された制御チャネルメッセージは、２つのアンテナポートを使用して送信され、前記無線リソース制御メッセージは、前記ネットワークノードが４つの伝送アンテナポートを使用することが可能であることを示す、請求項１４に記載の方法。
【請求項１６】
無線リソース制御を通して、前記ネットワークノードが４つの伝送アンテナポートを使用することが可能であるという信号伝達を送信することをさらに含む、請求項１４に記載の方法。
【請求項１７】
能力を示すものを受信することが、前記第２の数のアンテナポートから信号を受信する相互運用性が前記ユーザ機器に対して認証されているかどうかを示すものを送信することを含み、特徴グループインジケータの一部として該示すものを受信することを含む、請求項１４に記載の方法。
【請求項１８】
前記示すものが、前記ユーザ機器が、前記第２の数のアンテナポートを用いて受信することが可能であることを特定する場合、前記第１の数のアンテナポートが制御チャネル上の通信に使用され、該第２の数のアンテナポートがユーザ機器特有の物理ダウンリンク共有チャネル上の通信に使用される、請求項１４に記載の方法。
【請求項１９】
同じアンテナ構成を有する物理ハイブリッドＡＲＱインジケータチャネル（ＰＨＩＣＨ）をＰＨＩＣＨグループにグループ化することをさらに含む、請求項１４に記載の方法。
【請求項２０】
異なるアンテナ構成を有する物理ハイブリッドＡＲＱインジケータチャネル（ＰＨＩＣＨ）をＰＨＩＣＨグループにグループ化することをさらに含む、請求項１４に記載の方法。
【請求項２１】
前記示すものが、前記ユーザ機器が、前記第２の数のアンテナポートを用いて受信することが可能であることを特定する場合、前記第１の数のアンテナポートが共通制御チャネル上の通信に使用され、該第２の数のアンテナポートがユーザ機器特有のチャネル上の通信に使用される、請求項１４に記載の方法。
【請求項２２】
前記示すものが、前記ユーザ機器が、前記第２の数のアンテナポートを用いて受信することが可能ではないことを特定する場合、該第１の数のアンテナポートが全チャネル上の通信に使用される、請求項１４に記載の方法。
【請求項２３】
前記示すものが、前記ユーザ機器が、前記第２の数のアンテナポートを用いて受信することが可能ではないことを特定する場合、該第２の数のアンテナポートが制御チャネル上の通信に使用され、前記第１の数のアンテナポートがユーザ機器特有の物理ダウンリンク共有チャネル上の通信に使用される、請求項１４に記載の方法。
【請求項２４】
前記示すものが、前記ユーザ機器が、前記第２の数のアンテナポートが可能ではないことを特定する場合、該第２の数のアンテナポートがユーザ機器特有の制御チャネル上の通信に使用され、該第２の数のアンテナポートおよび第１の数のアンテナポートがユーザ機器特有の物理ダウンリンク共有チャネル上の通信に使用される、請求項１４に記載の方法。
【請求項２５】
前記第２の数のアンテナポートおよび前記第１の数のアンテナポートは、伝送ダイバーシティおよび空間多重化のうちの１つを使用して伝送する、請求項２４に記載の方法。
【請求項２６】
前記ユーザ機器によって信号を受信する前記能力を示すものが、前記第２の数のアンテナポートの相互運用性が該ユーザ機器に対して認証されていることを特定する場合、該第２の数のアンテナポートが全チャネル上の通信に使用される、請求項１４に記載の方法。
【請求項２７】
有形コンピュータ読み取り可能媒体上に記憶されたハードウェアおよびソフトウェアを含むユーザ機器であって、該ハードウェアおよび該ソフトウェアは、動作中、
ネットワークノードから制御チャネルメッセージを受信することと、
ブラインド復号化を用いて、該制御チャネルメッセージを復号することと、
該ブラインド復号化に基づいて、該制御チャネルメッセージを送信するために使用される第１の数の伝送アンテナポートを決定し、該ネットワークノードの第２のアンテナポート能力を示すことと、
該ユーザ機器に対して、第２の数のアンテナポートからの信号を受信する能力を示す１ビットを含む情報要素を送信することと、
該情報要素を送信した後に、アンテナポート情報を含む無線リソース制御メッセージを受信することと
を該ユーザ機器に行わせる、ユーザ機器。
【請求項２８】
前記制御チャネルメッセージは、２つのアンテナポートを使用して送信され、前記無線リソース制御メッセージは、ネットワークが４つのアンテナポートを使用することが可能であることを示す、請求項２７に記載のユーザ機器。
【請求項２９】
前記有形コンピュータ読み取り可能媒体上に記憶された前記ハードウェアおよびソフトウェアは、動作中、無線リソース制御を通して、ネットワークが４つの伝送アンテナポートを使用することが可能であるという信号伝達を受信することを前記ユーザ機器に行わせる、請求項２７に記載のユーザ機器。
【請求項３０】
前記ユーザ機器の能力を示すものを送信することは、前記第２の数のアンテナポートから信号を受信する相互運用性が該ユーザ機器に対してサポートされているかどうかを示すものを送信することを含み、該示すものは、特徴グループインジケータの一部として送信される、請求項２７に記載のユーザ機器。
【請求項３１】
前記示すものが、前記ユーザ機器が、前記第２の数のアンテナポートを用いて受信することが可能であることが該ユーザ機器に対してサポートされていることを特定する場合、前記第１の数のアンテナポートが制御チャネル上の通信に使用され、該第２の数のアンテナポートがユーザ機器特有の物理ダウンリンク共有チャネル上の通信に使用される、請求項２７に記載のユーザ機器。
【請求項３２】
同じアンテナ構成を有する物理ハイブリッドＡＲＱインジケータチャネル（ＰＨＩＣＨ）は、ＰＨＩＣＨグループにグループ化される、請求項２７に記載のユーザ機器。
【請求項３３】
異なるアンテナ構成を有する物理ハイブリッドＡＲＱインジケータチャネル（ＰＨＩＣＨ）は、ＰＨＩＣＨグループにグループ化される、請求項２７に記載のユーザ機器。
【請求項３４】
前記示すものが、前記ユーザ機器が、該ユーザ機器によって前記第２の数のアンテナポートを用いて受信することが可能であることを特定する場合、前記第１の数のアンテナポートが共通制御チャネル上の通信に使用され、該第２の数のアンテナポートがユーザ機器特有のチャネル上の通信に使用される、請求項２７に記載のユーザ機器。
【請求項３５】
前記示すものが、前記ユーザ機器が、前記第２の数のアンテナポートが可能ではないことを特定する場合、前記第１の数のアンテナポートが全チャネル上の通信に使用される、請求項２７に記載のユーザ機器。
【請求項３６】
前記示すものが、前記ユーザ機器が、前記第２の数のアンテナポートが可能ではないことを特定する場合、該第２の数のアンテナポートが制御チャネル上の通信に使用され、第１の数のアンテナポートがユーザ機器特有の物理ダウンリンク共有チャネル上の通信に使用される、請求項２７に記載のユーザ機器。
【請求項３７】
前記ユーザ機器によって信号を受信する前記能力を示すものが、前記第２の数のアンテナポートの相互運用性が認証されていないことを特定する場合、該第２の数のアンテナポートがユーザ機器特有の制御チャネル上の通信に使用され、該第２の数のアンテナポートおよび第１の数のアンテナポートがユーザ機器特有の物理ダウンリンク共有チャネル上の通信に使用される、請求項２７に記載のユーザ機器。
【請求項３８】
前記第２の数のアンテナポートおよび前記第１の数のアンテナポートは、伝送ダイバーシティおよび空間多重化のうちの１つを使用して伝送する、請求項３７に記載のユーザ機器。
【請求項３９】
前記ユーザ機器によって信号を受信する前記能力が、前記第２の数のアンテナポートの相互運用性が認証されていることを特定する場合、該第２の数のアンテナポートが全チャネル上の通信に使用される、請求項２７に記載のユーザ機器。
【請求項４０】
有形コンピュータ読み取り可能媒体上に記憶されたハードウェアおよびソフトウェアを含むネットワーク機器であって、該ハードウェアおよび該ソフトウェアは、動作中、ユーザ機器との通信を確立することをネットワーク機器に行わせ、
該ユーザ機器との通信を確立することは、
制御チャネルメッセージを符号化することと、
該符号化された制御チャネルメッセージをユーザ機器に送信することであって、該符号化された制御メッセージが、第１の数のアンテナポートのインジケータと、第２の数のアンテナポートから信号を受信する能力のインジケータとで符号化される、ことと、
第２の数のアンテナポートから信号を受信する該ユーザ機器の能力を示す１ビットを含む情報要素を受信することと、
該情報要素を受信した後に、アンテナポート情報を含む無線リソース制御メッセージを送信することと
によって行われる、ネットワーク機器。
【請求項４１】
前記符号化された制御チャネルメッセージは、２つのアンテナポートを使用して送信され、前記無線リソース制御メッセージは、前記ネットワーク機器が４つの伝送アンテナポートを使用することが可能であることを示す、請求項４０に記載のネットワーク機器。
【請求項４２】
無線リソース制御を通して、前記ネットワーク機器が４つの伝送アンテナポートを使用することが可能であるという信号伝達を送信することをさらに含む、請求項４０に記載のネットワーク機器。
【請求項４３】
前記能力を示すものを受信することは、前記第２の数のアンテナポートから信号を受信する相互運用性が前記ユーザ機器に対してサポートされているかどうかを示すものを送信することを含み、インジケータは、特徴グループインジケータの一部として送信される、請求項４０に記載のネットワーク機器。
【請求項４４】
前記示すものが、前記ユーザ機器が、前記第２の数のアンテナポートを用いて受信することが可能であることを特定する場合、前記第１の数のアンテナポートが制御チャネル上の通信に使用され、該第２の数のアンテナポートがユーザ機器特有の物理ダウンリンク共有チャネル上の通信に使用される、請求項４０に記載のネットワーク機器。
【請求項４５】
同じアンテナ構成を有する物理ハイブリッドＡＲＱインジケータチャネル（ＰＨＩＣＨ）をＰＨＩＣＨグループにグループ化することをさらに含む、請求項４０に記載のネットワーク機器。
【請求項４６】
異なるアンテナ構成を有する物理ハイブリッドＡＲＱインジケータチャネル（ＰＨＩＣＨ）をＰＨＩＣＨグループにグループ化することをさらに含む、請求項４０に記載のネットワーク機器。
【請求項４７】
前記示すものが、前記ユーザ機器が、前記第２の数のアンテナポートを用いて受信することが可能であることを特定する場合、前記第１の数のアンテナポートが共通制御チャネル上の通信に使用され、該第２の数のアンテナポートがユーザ機器特有のチャネル上の通信に使用される、請求項４０に記載のネットワーク機器。
【請求項４８】
前記示すものが、前記ユーザ機器が、前記第２の数のアンテナポートを用いて受信することが可能ではないことを特定する場合、前記第１の数のアンテナポートが全チャネル上の通信に使用される、請求項４０に記載のネットワーク機器。
【請求項４９】
前記示すものが、前記ユーザ機器が、前記第２の数のアンテナポートを用いて受信することが可能ではないことを特定する場合、該第２の数のアンテナポートが制御チャネル上の通信に使用され、前記第１の数のアンテナポートがユーザ機器特有の物理ダウンリンク共有チャネル上の通信に使用される、請求項４０に記載のネットワーク機器。
【請求項５０】
前記ユーザ機器によって信号を受信する前記能力が、前記第２の数のアンテナポートの相互運用性が認証されていないことを特定する場合、該第２の数のアンテナポートがユーザ機器特有の制御チャネル上の通信に使用され、該第２の数のアンテナポートおよび第１の数のアンテナポートがユーザ機器特有の物理ダウンリンク共有チャネル上の通信に使用される、請求項４０に記載のネットワーク機器。
【請求項５１】
前記第２の数のアンテナポートおよび前記第１の数のアンテナポートは、伝送ダイバーシティおよび空間多重化のうちの１つを使用して伝送する、請求項５０に記載のネットワーク機器。
【請求項５２】
前記ユーザ機器によって信号を受信する前記能力を示すものが、前記第２の数のアンテナポートの相互運用性が認証されていることを特定する場合、該第２の数のアンテナポートが全チャネル上の通信に使用される、請求項４０に記載のネットワーク機器。
【請求項５３】
第２の数のアンテナポートからの信号を受信する能力を示す前記１ビットは、Ｂｏｏｌｅａｎ変数を含み、前記情報要素は、ＡｎｔｅｎｎａＩｎｆｏＤｅｄｉｃａｔｅｄ情報要素を含む、請求項１に記載の方法。
【請求項５４】
第２の数のアンテナポートからの信号を受信する能力を示す前記１ビットは、Ｂｏｏｌｅａｎ変数を含み、前記情報要素は、ＡｎｔｅｎｎａＩｎｆｏＤｅｄｉｃａｔｅｄ情報要素を含む、請求項１４に記載の方法。
【請求項５５】
第２の数のアンテナポートからの信号を受信する能力を示す前記１ビットは、Ｂｏｏｌｅａｎ変数を含み、前記情報要素は、ＡｎｔｅｎｎａＩｎｆｏＤｅｄｉｃａｔｅｄ情報要素を含む、請求項２７に記載のユーザ機器。
【請求項５６】
第２の数のアンテナポートからの信号を受信する能力を示す前記１ビットは、Ｂｏｏｌｅａｎ変数を含み、前記情報要素は、ＡｎｔｅｎｎａＩｎｆｏＤｅｄｉｃａｔｅｄ情報要素を含む、請求項４０に記載のネットワーク機器。
【発明の詳細な説明】
【技術分野】
【０００１】
関連出願への参照
本特許出願は、２００９年６月２４日出願の米国仮特許出願第６１／２２０，０３９号の利益を主張し、この米国仮特許出願の全内容が本明細書において参照により援用される。
【０００２】
以下で説明される例示的な実施形態は、概して、移動通信システムにおけるデータ伝送に関し、より具体的には、アンテナ管理を行う方法および装置に関する。ある実施例では、以下は、ロングタームエボリューション（ＬＴＥ）リリース８によってサポートされる４−Ｔｘ特徴を導入するための方法、デバイス、およびシステムに関する。
【背景技術】
【０００３】
本明細書で使用される場合、用語「ユーザエージェント」および「ＵＡ」は、携帯電話、携帯情報端末、手持ち式またはラップトップコンピュータ、および電気通信能力を有する同様のデバイスまたは他のユーザ機器（「ＵＥ」）等の、無線デバイスを指すことができる。いくつかの実施形態では、ＵＡは、移動無線デバイスを指してもよい。用語「ＵＡ」はまた、デスクトップコンピュータ、セットトップボックス、またはネットワークノード等の、同様の能力を有するが概して運搬可能ではないデバイスを指してもよい。
【０００４】
従来の無線電気通信システムまたはネットワークでは、基地局内の伝送機器は、セルとして知られる地理的領域の全体を通して、信号を伝送する。技術の発展に伴って、以前には可能ではなかったサービスを提供することができる、より高度な機器が導入されてきた。この高度な機器は、例えば、従来の無線電気通信システム内の機器より高度に発展した基地局または他のシステムおよびデバイスよりもむしろ、発展型ユニバーサル地上無線アクセスネットワーク（Ｅ−ＵＴＲＡＮ）ノードＢ（ｅＮＢ）を含む場合がある。そのような高度または次世代機器は、本明細書では、ロングタームエボリューション（ＬＴＥ）機器と呼ばれてもよく、そのような機器を使用するパケットベースのネットワークは、発展型パケットシステム（ＥＰＳ）と呼ぶことができる。ＬＴＥシステム／機器への付加的な改良は、最終的には、ＬＴＥ発展型（ＬＴＥ−Ａ）システムをもたらす。本明細書で使用されるように、語句「基地局」は、電気通信システムにおける他の構成要素へのアクセスをＵＡに提供することができる、任意のアクセスデバイスを指す。
【０００５】
リリース８（Ｒｅｌ−８）ＬＴＥダウンリンク伝送では、システムは、１つ、２つ、または４つのアンテナを有する伝送アンテナ構成（すなわち、１−ｔｘ、２−ｔｘ、および４−ｔｘ）をサポートすることを選択することができる。いくつかの実施例は、ＬＴＥ  Ｒｅｌ−８によってサポートされるＲｅｌ−８  ４−ｔｘ特徴を導入する方法に関して、本明細書で説明される。
【発明の概要】
【課題を解決するための手段】
【０００６】
説明で使用される略称
【０００７】
【化１−１】
0005525606.tif 000002
【０００８】
【化１−２】
0005525606.tif 000003
【０００９】
【化１−３】
0005525606.tif 000004
Ｒｅｌ−８ＬＴＥダウンリンクでは、それぞれ、１つ、２つ、および４つの伝送アンテナの使用を意味する、１−ｔｘ、２−ｔｘ、および４−ｔｘを含む、３つのアンテナ構成をｅＮＢにおいてサポートすることができる。ｅＮＢにおけるアンテナ構成情報は、物理放送チャネル（ＰＢＣＨ）復号を通して、ＵＥに暗黙に信号伝達される。ＰＢＣＨブラインド復号に従って、ＵＥは、同期信号を通してシステムと同期した後、異なるアンテナ構成を成すことによってＰＢＣＨを復号しようとし、また、復号が正しいか否かを検証するために、異なるアンテナ構成に対応する異なる周期的冗長チェック（ＣＲＣ）マスクを使用する必要がある。ＰＢＣＨのブラインド復号に成功した後、アンテナ構成はまた、ＣＲＣの関連および使用されるアンテナの数を通してＵＥに知られる。次いで、ＵＥは、ＰＤＣＣＨ、ＰＨＩＣＨ等の全ての共通チャネルの伝送のために、そのようなアンテナ構成を成す。ｅＮＢにおけるアンテナ構成がＰＢＣＨを通して暗黙に伝送されるため、そのような構成は経時的に変化せず、同じセルにおいて１−ｔｘ、２−ｔｘ、または４−ｔｘ伝送を同時にサポートすること等、同じシステムが異なるＵＥに異なるアンテナ構成を同時にサポートできないことが一般的な理解である。
【００１０】
また、Ｒｅｌ−８仕様が開発された時、ｅＮＢがこれらの伝送アンテナ構成のうちのいずれか１つを展開できたため、全てのＲｅｌ−８ＵＥがこれらのうちの全てをサポートするべきものであることが一般的過程であった。ダウンリンクにおいてＲｅｌ−８によってサポートされる４−ｔｘ特徴は主に、伝送ダイバーシティ（ＴｘＤ）および空間多重化（ＳＭ）といった、２つの主要な関数を含む。ＴｘＤは、セル端性能を維持するために使用され、ＰＢＣＨ、ＰＤＣＣＨ、ＰＨＩＣＨ、およびＰＤＳＣＨチャネル等の全ての共通制御チャネルに適用される。ＴｘＤには、ＳＦＢＣ＋ＦＳＴＤ技法が使用される。ＳＭ関数について、主要な目標は、システムスループットを増加させることである。そのような関数は、閉ループＳＭ伝送モード（モード４）、開ループＳＭ伝送モード（モード３）、および他の関連モード等の、Ｒｅｌ−８で定義される伝送モードの大部分で使用される。ＳＭについて、コードブックベースのプリコーディング伝送が、そのような関数の基礎を形成する。セル特有のＲＳとも呼ばれる、共通参照信号（ＣＲＳ）が、変調およびチャネル測定のためにＲｅｌ−８ダウンリンクで使用される際に、ＣＲＳは、全てのアンテナポート上で伝送される。
【００１１】
全てのＲｅｌ−８ＵＥは、ＬＴＥダウンリンクでの１−ｔｘ、２−ｔｘ、および４−ｔｘを含む、全ての可能なアンテナ構成をｅＮＢにおいてサポートするべきである。ＵＥは、ＰＢＣＨをブラインド復号することにより、ｅＮＢアンテナ構成を自動的に検出し、次いで、そのセルの中の時間の全体を通して、そのようなアンテナ構成を成す。しかしながら、無線アクセスネットワーク（ＲＡＮ５）でのテストケースの優先順位決定計画中、４−ｔｘシステムは、Ｒｅｌ−８の初期段階で展開されない場合があると留意された。したがって、４−ｔｘに関連するテストケースに中間の優先順位が与えられ、それは、最初のリリースのための端末について試験されない場合があることを意味する。他方で、初期展開における商品化された４−ｔｘシステムの欠如により、４−ｔｘ特徴についてのＵＥとｅＮＢとの間の相互運用試験（ＩＯＴ）が、十分に履行されない場合がある。それは、たとえＲｅｌ−８で定義されるこれら全ての４−ｔｘ特徴がＵＥによって実装されても、実際の展開でのそのような特徴の安定性および信頼性が保証されない場合があるという懸念を生じる。それにより、操作者は、そのような初期Ｒｅｌ−８ＵＥに対する４−ｔｘ特徴を導入し、サポートすることに非常に気がすすまなくなり得る。そのような状況が起こった場合、Ｒｅｌ−８での４−ｔｘシステムに起因する多くの高度な特徴および有意な利益が実現されないため、ＬＴＥシステムに大きな後退を負わせ得る。
【００１２】
これを解決するための１つの解決法は、Ｒｅｌ−８仕様を現在のように保つが、初期展開用のＵＥに対する適合性試験を可能にするように、ＲＡＮ  ５におけるダウンリンク４−ｔｘテストケースの優先順位を再評価することである。同時に、チップ業者およびＵＥ業者は、ＩＯＴ試験の欠如によるリスクを最小限化するように、４−ｔｘ特徴についての拡張開発試験試験を行うことができる。初期展開中、状況が許せば、操作者は、４−ｔｘ特徴についての部分的ＩＯＴ試験のために端末業者と連携することができる。そのような解決法の利益は、Ｒｅｌ−８仕様に影響を及ぼさず、後方互換性の問題が将来現れない一方で、操作者が４−ｔｘ特徴の全利益を享受できることである。しかしながら、ＩＯＴ試験の欠如による４−ｔｘ特徴を展開することのリスクは、軽減することができるが、完全には回避されない場合がある。
【００１３】
この問題を解決する第１のアプローチでは、４−ｔｘ特徴に対するＩＯＴ特徴グループ指示が定義される。ＩＯＴ認証４−ｔｘ特徴をサポートしない初期Ｒｅｌ−８ＵＥについては、そのような指示（例えば、ビット）が偽に設定される。ＩＯＴ認証４−ｔｘ特徴をサポートするＵＥの将来リリースについては、そのような指示が真に設定される。ＵＥは、初期呼設定後に、またはｅＮＢからの制御下で、他の特徴グループ指示ビットとともに、この指示をネットワーク（例えば、ｅＮＢ）に送信する。
【００１４】
４−ｔｘがシステムで導入される時、ｅＮＢは、４つの伝送アンテナが利用可能であるにもかかわらず、２−ｔｘ  ＴｘＤを用いてＰＢＣＨを伝送する。これは、２−ｔｘでＩＯＴ認証されていない初期ＵＥが、ＰＢＣＨを正しく受信し続けることができることを確実にする。ＩＯＴ認証４−ｔｘ特徴をサポートする将来リリースＵＥについては、ｅＮＢは、ネットワークが４−ｔｘ伝送をサポートできることをそのようなＵＥに知らせる必要がある。そのような信号伝達のための異なる方法があり得る。
【００１５】
一実施例では、ｅＮＢは常に、ＰＢＣＨを伝送するために２−ｔｘ  ＴｘＤを使用するが、対応する２−ｔｘ  ＣＲＣマスキングを使用する代わりに、ｅＮＢが４−ｔｘ伝送能力を有することができることを示すために、別のＣＲＣマスキングを使用する。そのようなＣＲＣマスキングは、４−ｔｘ  ＣＲＣマスキングに対応する既存のもの、または新しいＣＲＣマスキングとなり得る。このアプローチについて、初期Ｒｅｌ−８ＵＥおよび将来リリースＵＥの両方に対する正しいＰＢＣＨ復号を確実にするために、Ｒｅｌ−８  ＰＨＹ仕様が変更される必要がある。このアプローチによって、ＵＥは、層マッピング情報およびＣＲＳ伝送情報の両方を正しく取得することができる。例えば、ＰＢＣＨの層マッピングは、２−ｔｘ  ＴｘＤに基づくが、ＣＲＳは、４−ｔｘパターンを使用して伝送される。
【００１６】
別の実施例では、異なるＣＲＣを使用するよりもむしろ、ＰＢＣＨは、２−ｔｘ  ＴｘＤおよび対応する２−ｔｘ  ＣＲＣマスキングを依然として使用する。次いで、ｅＮＢは、無線リソース制御（ＲＲＣ）信号伝達等の上位層信号を送信して、４−ｔｘ伝送がＰＤＳＣＨ、およびおそらくＰＤＣＣＨ／ＰＨＩＣＨ伝送に利用可能であることを将来リリースＵＥに知らせる必要がある。
【００１７】
ＩＯＴ認証４−ｔｘ特徴をサポートする将来リリースＵＥについては、４−ｔｘをサポートするｅＮＢが、ＰＢＣＨ以外の共通制御チャネルを伝送するために異なるアンテナ構成を使用してもよい。例えば、１つの実装では、ＰＣＦＩＣＨおよび共通ＰＤＣＣＨ等の共通放送またはマルチキャスト制御チャネルが、２−Ｔｘ伝送を用いて構成され、ＰＤＳＣＨ上で運ばれる放送制御情報等の非ＵＥ特有の情報も、２−ｔｘ構成を使用して伝送される一方で、ＰＨＩＣＨ／ＰＤＣＣＨおよびＵＥ特有のＰＤＳＣＨ等のＵＥ特有の制御およびデータチャネルが、４−Ｔｘ伝送を使用して構成される。ＣＲＳ伝送は、ＣＲＣマスキングによって示される４−ｔｘ伝送パターンに依然として従う。そのような実施形態では、２−ｔｘ  ＴｘＤを初期Ｒｅｌ−８ＵＥに対するＰＨＩＣＨ伝送のために構成することができる一方で、４−ｔｘ  ＴｘＤを将来リリースＵＥに対するＰＨＩＣＨ伝送のために構成することができるため、２−ｔｘおよび４−ｔｘ  ＰＨＩＣＨ伝送の混合が生じる。これは、多重化を必要とする。
【００１８】
多重化は、少なくとも２つの異なる技法を使用して実行することができる。１つの方法は、同じＰＨＩＣＨグループにおいて、同じアンテナ構成を伴うＰＨＩＣＨをグループ化することである。そのような配設は、ＰＨＩＣＨが現在のＲｅｌ−８で定義されるのと同じＴｘＤスキームを使用することを可能にする。しかし、ＰＨＩＣＨインデックスおよびＰＨＩＣＨグループインデックスが、各ＵＥのアップリンクＲＢ割振に結び付けられるため、そのようなグループ化は、各ＵＥに対するアップリンクでのＲＢ割振融通性および多重化効率を低減する。
【００１９】
代替的な多重化技法は、各ＰＨＩＣＨグループが、２−ｔｘおよび４−ｔｘ伝送等の異なるアンテナ構成を伴うＵＥを含有することを可能にする。そのような方法は、アップリンクＲＢ割振に制限を課さず、Ｒｅｌ−８で定義される全ての既存のＰＨＩＣＨマッピング規則を使用することができる。しかしながら、同じＰＨＩＣＨグループ上で異なるアンテナ構成多重化を伴うＰＨＩＣＨを有することは、アンテナにわたって電力の不均衡を導入する。それはまた、異なるＰＨＩＣＨ間の直交性を壊し、したがって、性能を劣化させ得る。
【００２０】
別の実施例では、ＰＣＦＩＣＨ／ＰＤＣＣＨ／ＰＨＩＣＨ等の全ての共通およびＵＥ特有の制御チャネルは、２−ｔｘ伝送を使用して構成される。ＰＤＳＣＨについては、それは、ＵＥ特有の伝送のためには４−Ｔｘを使用して構成する一方で、ＵＥ特有の伝送のためには２−ｔｘ伝送を使用して構成することができる。ＣＲＳ伝送は、ＣＲＣマスキングによって示される４−ｔｘ伝送パターンに依然として従う。この実施例では、ＰＤＣＣＨおよびＰＨＩＣＨの両方はまた、２−ｔｘ  ＴｘＤも使用することができ、それは、４−ｔｘ  ＴｘＤを使用することによって取得される受信可能範囲獲得を失う場合がある。しかしながら、それは、制御領域中の２−ｔｘおよび４−ｔｘ伝送の混合により、いくつかの問題を回避する。
【００２１】
後期に展開される４−ｔｘシステムでは、４−ｔｘ特徴を受信する能力を有する将来リリースＵＥをサポートするために、一実施形態で、４つの共通ＲＳポートが、Ｒｅｌ−８で定義されるような時間および周波数の両方で伝送されるべきである。初期Ｒｅｌ−８ＵＥ（例えば、ＩＯＴ認証されていないＵＥ）について、それらは、たとえ２−ｔｘ伝送を用いて構成されていなくても、４−ｔｘ  ＣＲＳが伝送されるという事実を認識するべきであり、したがって、ＣＲＳポート２および３に割り振られたＲＥ上での伝送を期待するべきではない。
【００２２】
そのようなｅＮＢの４−ｔｘ伝送能力の情報を初期Ｒｅｌ−８ＵＥに伝えるために、いくつかの方法を使用することができる。一実施例によれば、ｅＮＢは、ＰＢＣＨを伝送するために２−ｔｘ  ＴｘＤを使用することができるが、４−ｔｘ  ＣＲＳが伝送されることを示すために、ＰＢＣＨに対応する４−ｔｘ  ＣＲＣマスキングを使用することができる。初期Ｒｅｌ−８ＵＥは、そのような組み合わせを復号することができ、たとえシステムがその伝送に２−ｔｘ構成を使用しても、４−ｔｘ伝送能力を有し、ＣＲＳポート２および３上で伝送することを知るべきである。
【００２３】
別の実施例では、ｅＮＢは、ＲＲＣ信号伝達等の上位層信号を放送または送信して、４−ｔｘ伝送能力を有し、ＣＲＳポート２および３を伝送することを初期Ｒｅｌ−８ＵＥに知らせることができる。次いで、ＵＥは、ＣＲＳポート２および３に対応するＲＥでのデータ伝送を期待するべきではない。
【００２４】
４−ｔｘをサポートするｅＮＢについては、例えば、その対応するＰＤＣＣＨがＳＩ−ＲＮＴＩ、ＲＡ−ＲＮＴＩ、Ｐ−ＲＮＴＩ、および一時Ｃ−ＲＮＴＩによってスクランブルされる、ＰＤＳＣＨ上でセル特有または共通の制御情報を伝送するために、２−ｔｘ伝送ダイバーシティを使用する。例えば、その対応するＰＤＣＣＨがＣ−ＲＮＴＩおよびＳＰＳ  Ｃ−ＲＮＴＩによって構成される、ＰＤＳＣＨ上でＵＥ特有の情報を伝送するために、使用されるアンテナポートの数は、ＲＲＣ信号伝達によって設定されるパラメータによって定義される。パラメータは、２とＰＢＣＨ復号後に取得されるアンテナポートの数との間の最小値に基づいて初期化され、ｅＮＢがＵＥから特徴グループ指示情報を取得した後にＲＲＣ信号伝達によって再構成することができる。
【００２５】
別の実施例では、アンテナポート上のそのようなＲＲＣ信号が構成されない場合、４−ｔｘ特徴をサポートする将来リリースＵＥは、その特徴グループインジケータをｅＮＢに送信した後にｅＮＢが４−ｔｘ伝送を使用することを仮定し、４−ｔｘ用の対応する受信機を使用するか、または少なくともＰＤＳＣＨの復号の開始時に、２−ｔｘおよび４−ｔｘ用の両方の受信機を使用して、ブラインド復号を行うことができる。
【００２６】
表１は、４−ｔｘシステムにおける、第１のアプローチで説明されるような中継Ｒｅｌ−８ＵＥおよび将来リリースＵＥ用の異なるチャネルに対する異なるアンテナ伝送構成を要約する。
【００２７】
【表１】
0005525606.tif 000005
前述の内容は、このアプローチの異なる側面と、現在の仕様および／または標準に大幅な変更を生じることなくＲｅｌ−８  ４−ｔｘ特徴を導入するためのこのアプローチの使用に関する、提案された異なる実施例とを説明している。一般に、ここで提案されるアプローチは、初期Ｒｅｌ−８ＵＥに対するＲＡＮ５端末上適合性試験において、いずれの優先順位の変更も必要としない。それはまた、ＩＯＴ試験４−ｔｘ特徴の欠如によるリスクも回避する。
【００２８】
４−ｔｘアンテナを用いて後期に展開されるｅＮＢについて、異なるアンテナ構成を伴う初期Ｒｅｌ−８ＵＥおよび将来リリースＵＥの両方をサポートする必要があるため、ｅＮＢにおける実装は、確かに複雑となり得る。
【００２９】
本開示をより完全に理解するために、添付の図面および発明を実施するための形態と併せて理解される、以下の簡単な説明を参照し、類似参照数字は、類似部品を表す。
例えば、本発明は以下の項目を提供する。
（項目１）
ユーザ機器とネットワークノードとの間で通信を確立するユーザ機器における方法であって、
該ネットワークノードから制御チャネルメッセージを受信することと、
ブラインド復号化を用いて、該制御チャネルメッセージを復号することと、
該ブラインド復号化に基づいて、該制御チャネルを送信するために使用される第１の数の送信アンテナを決定することと、
該ユーザ機器から、第２の数のアンテナからの信号を受信する能力の指示を送信することと、
該ネットワークノードのアンテナ能力を示すアンテナポート更新メッセージを受信することと
を含む、方法。
（項目２）
上記制御チャネルメッセージは、２つのアンテナを使用して送信され、上記アンテナポート更新メッセージは、上記ネットワークノードが４つの伝送アンテナを使用することが可能であることを示す、項目１に記載の方法。
（項目３）
無線リソース制御を通して、上記ネットワークノードが４つの伝送アンテナを使用することが可能であるという信号伝達を受信することをさらに含む、項目１に記載の方法。
（項目４）
上記能力の指示を送信することは、上記第２の数のアンテナから信号を受信する相互運用性が上記ユーザ機器に対してサポートされているかどうかという指示を送信することを含み、該指示は、特徴グループインジケータの一部として送信される、項目１に記載の方法。
（項目５）
上記指示が、上記第２の数のアンテナを用いた受信の能力が上記ユーザ機器に対してサポートされていることを特定する場合、上記第１の数のアンテナが制御チャネル上の通信に使用され、該第２の数のアンテナがユーザ機器特有の物理ダウンリンク共有チャネル上の通信に使用される、項目１に記載の方法。
（項目６）
ＰＨＩＣＨグループにおいて、同じアンテナ構成を伴う物理ハイブリッドＡＲＱインジケータチャネル（ＰＨＩＣＨ）をグループ化することをさらに含む、項目１に記載の方法。
（項目７）
ＰＨＩＣＨグループにおいて、異なるアンテナ構成を伴う物理ハイブリッドＡＲＱインジケータチャネル（ＰＨＩＣＨ）をグループ化することをさらに含む、項目１に記載の方法。
（項目８）
上記指示が、上記ユーザ機器による上記第２の数のアンテナを用いた受信の能力がサポートされていることを特定する場合、上記第１の数のアンテナが共通制御チャネル上の通信に使用され、該第２の数のアンテナがユーザ機器特有のチャネル上の通信に使用される、項目１に記載の方法。
（項目９）
上記指示が、上記第２の数のアンテナを用いた受信の能力が上記ユーザ機器に対してサポートされていないことを特定する場合、上記第１の数のアンテナが全チャネル上の通信に使用される、項目１に記載の方法。
（項目１０）
上記指示が、上記ユーザ機器による上記第２の数のアンテナを用いた受信の能力がサポートされていないことを特定する場合、該第２の数のアンテナが制御チャネル上の通信に使用され、上記第１の数のアンテナがユーザ機器特有の物理ダウンリンク共有チャネル上の通信に使用される、項目１に記載の方法。
（項目１１）
上記指示が、上記第２の数のアンテナの相互運用性が上記ユーザ機器によって認証されていないことを特定する場合、該第２の数のアンテナがユーザ機器特有の制御チャネル上の通信に使用され、該第２の数のアンテナおよび第１の数のアンテナがユーザ機器特有の物理ダウンリンク共有チャネル上の通信に使用される、項目１に記載の方法。
（項目１２）
上記第２の数のアンテナおよび上記第１の数のアンテナは、伝送ダイバーシティおよび空間多重化のうちの１つを使用して伝送する、項目１１に記載の方法。
（項目１３）
上記指示が、上記第２の数のアンテナの相互運用性が上記ユーザ機器に認証されていることを特定する場合、該第２の数のアンテナが全チャネル上の通信に使用される、項目１に記載の方法。
（項目１４）
ユーザ機器とネットワークとの間で通信を確立する該ネットワークにおける方法であって、
制御チャネルメッセージを符号化することと、
該符号化された制御チャネルメッセージをユーザ機器に送信することであって、該符号化された制御メッセージが、第１の数のアンテナのインジケータで符号化される、ことと、
第２の数のアンテナを示すアンテナポート更新メッセージを送信することと、
該ユーザ機器において、第２の数のアンテナから信号を受信する指示を受信することと
を含む、方法。
（項目１５）
上記符号化された制御チャネルメッセージは、２つのアンテナを使用して送信され、上記アンテナポート更新メッセージは、ネットワークノードが４つの伝送アンテナを使用することが可能であることを示す、項目１４に記載の方法。
（項目１６）
無線リソース制御を通して、ネットワークノードが４つの伝送アンテナを使用することが可能であるという信号伝達を送信することをさらに含む、項目１４に記載の方法。
（項目１７）
能力の指示を受信することが、上記第２の数のアンテナから信号を受信する相互運用性が上記ユーザ機器に認証されているかどうかという指示を送信することを含み、特徴グループインジケータの一部として該指示を受信することを含む、項目１４に記載の方法。
（項目１８）
上記指示が、上記ユーザ機器による上記第２の数のアンテナを用いた受信の能力を特定する場合、上記第１の数のアンテナが制御チャネル上の通信に使用され、該第２の数のアンテナがユーザ機器特有の物理ダウンリンク共有チャネル上の通信に使用される、項目１４に記載の方法。
（項目１９）
ＰＨＩＣＨグループにおいて、同じアンテナ構成を伴う物理ハイブリッドＡＲＱインジケータチャネル（ＰＨＩＣＨ）をグループ化することをさらに含む、項目１４に記載の方法。
（項目２０）
ＰＨＩＣＨグループにおいて、異なるアンテナ構成を伴う物理ハイブリッドＡＲＱインジケータチャネル（ＰＨＩＣＨ）をグループ化することをさらに含む、項目１４に記載の方法。
（項目２１）
上記指示が、上記ユーザ機器による上記第２の数のアンテナを用いた受信の能力を特定する場合、上記第１の数のアンテナが共通制御チャネル上の通信に使用され、該第２の数のアンテナがユーザ機器特有のチャネル上の通信に使用される、項目１４に記載の方法。
（項目２２）
上記指示が、上記第２の数のアンテナを用いた受信の能力が上記ユーザ機器に対してサポートされていないことを特定する場合、該第２の数のアンテナが全チャネル上の通信に使用される、項目１４に記載の方法。
（項目２３）
上記指示が、上記第２の数のアンテナを用いた受信の能力が上記ユーザ機器によってサポートされていないことを特定する場合、該第２の数のアンテナが制御チャネル上の通信に使用され、上記第１の数のアンテナがユーザ機器特有の物理ダウンリンク共有チャネル上の通信に使用される、項目１４に記載の方法。
（項目２４）
上記指示が、上記第２の数のアンテナの能力が上記ユーザ機器によって認証されていないことを特定する場合、該第２の数のアンテナがユーザ機器特有の制御チャネル上の通信に使用され、該第２の数のアンテナおよび第１の数のアンテナがユーザ機器特有の物理ダウンリンク共有チャネル上の通信に使用される、項目１４に記載の方法。
（項目２５）
上記第２の数のアンテナおよび上記第１の数のアンテナは、伝送ダイバーシティおよび空間多重化のうちの１つを使用して伝送する、項目２４に記載の方法。
（項目２６）
上記指示が、上記第２の数のアンテナの相互運用性が上記ユーザ機器に認証されていることを特定する場合、該第２の数のアンテナが全チャネル上の通信に使用される、項目１４に記載の方法。
（項目２７）
動作中、ユーザ機器に、
ネットワークノードから制御チャネルメッセージを受信することと、
ブラインド符号化を用いて該制御チャネルメッセージを復号することと、
該ブラインド復号化に基づいて、該制御チャネルを送信するために使用される第１の数の送信アンテナを決定することと、
該ユーザ機器から、第２の数のアンテナからの信号を受信する能力の指示を送信することと、
該ネットワークノードのアンテナ能力を示すアンテナポート更新メッセージを受信することと
を行わせる、有形コンピュータ読み取り可能媒体上に記憶されたハードウェアおよびソフトウェアを含む、ユーザ機器。
（項目２８）
上記制御チャネルメッセージは、２つのアンテナを使用して送信され、上記アンテナポート更新メッセージは、上記ネットワークが４つの伝送アンテナを使用することが可能であることを示す、項目２７に記載のユーザ機器。
（項目２９）
上記有形コンピュータ読み取り可能媒体上に記憶された上記ハードウェアおよびソフトウェアは、動作中、上記ユーザ機器に、無線リソース制御を通して、上記ネットワークが４つの伝送アンテナを使用することが可能であるという信号伝達を受信させる、項目２７に記載のユーザ機器。
（項目３０）
能力の指示を送信することは、上記第２の数のアンテナから信号を受信する相互運用性が上記ユーザ機器に対してサポートされているかどうかという指示を送信することを含み、該指示は、特徴グループインジケータの一部として送信される、項目２７に記載のユーザ機器。
（項目３１）
上記第２の数のアンテナを用いた受信の能力が上記ユーザ機器に対してサポートされていることを特定する場合、上記第１の数のアンテナが制御チャネル上の通信に使用され、該第２の数のアンテナがユーザ機器特有の物理ダウンリンク共有チャネル上の通信に使用される、項目２７に記載のユーザ機器。
（項目３２）
同じアンテナ構成を伴う物理ハイブリッドＡＲＱインジケータチャネル（ＰＨＩＣＨ）は、ＰＨＩＣＨグループにおいてグループ化される、項目２７に記載のユーザ機器。
（項目３３）
異なるアンテナ構成を伴う物理ハイブリッドＡＲＱインジケータチャネル（ＰＨＩＣＨ）は、ＰＨＩＣＨグループにおいてグループ化される、項目２７に記載のユーザ機器。
（項目３４）
上記指示が、上記ユーザ機器による上記第２の数のアンテナの能力を特定する場合、上記第１の数のアンテナが共通制御チャネル上の通信に使用され、該第２の数のアンテナがユーザ機器特有のチャネル上の通信に使用される、項目２７に記載のユーザ機器。
（項目３５）
上記指示が、上記第２の数のアンテナの能力が上記ユーザ機器に対してサポートされていないことを特定する場合、上記第１の数のアンテナが全チャネル上の通信に使用される、項目２７に記載のユーザ機器。
（項目３６）
上記指示が、上記第２の数のアンテナの能力が上記ユーザ機器によってサポートされていないことを特定する場合、該第２の数のアンテナが制御チャネル上の通信に使用され、第１の数のアンテナがユーザ機器特有の物理ダウンリンク共有チャネル上の通信に使用される、項目２７に記載のユーザ機器。
（項目３７）
上記指示が、上記第２の数のアンテナの相互運用性が上記ユーザ機器によって認証されていないことを特定する場合、該第２の数のアンテナがユーザ機器特有の制御チャネル上の通信に使用され、該第２の数のアンテナおよび第１の数のアンテナがユーザ機器特有の物理ダウンリンク共有チャネル上の通信に使用される、項目２７に記載のユーザ機器。
（項目３８）
上記第２の数のアンテナおよび上記第１の数のアンテナは、伝送ダイバーシティおよび空間多重化のうちの１つを使用して伝送する、項目３７に記載のユーザ機器。
（項目３９）
上記指示が、上記第２の数のアンテナの相互運用性が上記ユーザ機器に認証されていることを特定する場合、該第２の数のアンテナが全チャネル上の通信に使用される、項目２７に記載のユーザ機器。
（項目４０）
動作中、ネットワーク機器に、
制御チャネルメッセージを符号化することと、
該符号化された制御チャネルメッセージをユーザ機器に送信することであって、該符号化された制御メッセージが、第１の数のアンテナのインジケータで符号化される、ことと、
該ユーザ機器に対する第２の数のアンテナから信号を受信する能力の指示を受信することと、
第２の数のアンテナを示すアンテナポート更新メッセージを送信することと、
によって、ユーザ機器との通信を確立させる、有形コンピュータ読み取り可能媒体上に記憶されたハードウェアおよびソフトウェアを含む、ネットワーク機器。
（項目４１）
上記符号化された制御チャネルメッセージは、２つのアンテナを使用して送信され、上記アンテナポート更新メッセージは、上記ネットワーク機器が４つの伝送アンテナを使用することが可能であることを示す、項目４０に記載のネットワーク機器。
（項目４２）
無線リソース制御を通して、上記ネットワーク機器が４つの伝送アンテナを使用することが可能であるという信号伝達を送信することをさらに含む、項目４０に記載のネットワーク機器。
（項目４３）
上記能力の指示を受信することは、上記第２の数のアンテナから信号を受信する相互運用性が上記ユーザ機器に対してサポートされているかどうかという指示を送信することを含み、インジケータは、特徴グループインジケータの一部として送信される、項目４０に記載のネットワーク機器。
（項目４４）
上記指示が、上記第２の数のアンテナを用いて受信する能力が上記ユーザ機器に対してサポートされていることを特定する場合、上記第１の数のアンテナが制御チャネル上の通信に使用され、該第２の数のアンテナがユーザ機器特有の物理ダウンリンク共有チャネル上の通信に使用される、項目４０に記載のネットワーク機器。
（項目４５）
ＰＨＩＣＨグループにおいて、同じアンテナ構成を伴う物理ハイブリッドＡＲＱインジケータチャネル（ＰＨＩＣＨ）をグループ化することをさらに含む、項目４０に記載のネットワーク機器。
（項目４６）
ＰＨＩＣＨグループにおいて、異なるアンテナ構成を伴う物理ハイブリッドＡＲＱインジケータチャネル（ＰＨＩＣＨ）をグループ化することをさらに含む、項目４０に記載のネットワーク機器。
（項目４７）
上記指示が、上記ユーザ機器による上記第２の数のアンテナを用いた受信の能力を特定する場合、上記第１の数のアンテナが共通制御チャネル上の通信に使用され、該第２の数のアンテナがユーザ機器特有のチャネル上の通信に使用される、項目４０に記載のネットワーク機器。
（項目４８）
上記指示が、上記第２の数のアンテナの能力が上記ユーザ機器に対してサポートされていないことを特定する場合、上記第１の数のアンテナが全チャネル上の通信に使用される、項目４０に記載のネットワーク機器。
（項目４９）
上記指示が、上記第２の数のアンテナを用いた受信の能力が上記ユーザ機器によってサポートされていないことを特定する場合、該第２の数のアンテナが制御チャネル上の通信に使用され、上記第１の数のアンテナがユーザ機器特有の物理ダウンリンク共有チャネル上の通信に使用される、項目４０に記載のネットワーク機器。
（項目５０）
上記指示が、上記第２の数のアンテナの相互運用性が上記ユーザ機器によって認証されていないことを特定する場合、該第２の数のアンテナがユーザ機器特有の制御チャネル上の通信に使用され、該第２の数のアンテナおよび第１の数のアンテナがユーザ機器特有の物理ダウンリンク共有チャネル上の通信に使用される、項目４０に記載のネットワーク機器。
（項目５１）
上記第２の数のアンテナおよび上記第１の数のアンテナは、伝送ダイバーシティおよび空間多重化のうちの１つを使用して伝送する、項目５０に記載のネットワーク機器。
（項目５２）
上記指示が、上記第２の数のアンテナの相互運用性が上記ユーザ機器に認証されていることを特定する場合、該第２の数のアンテナが全チャネル上の通信に使用される、項目４０に記載のネットワーク機器。
【図面の簡単な説明】
【００３０】
【図１】図１は、一実施形態例での４−ｔｘシステムにおける初期Ｒｅｌ−８ＵＥおよび将来リリースＵＥの多重化の実施例を示す。
【図２】図２は、別の実施形態例での４−ｔｘシステムにおける初期Ｒｅｌ−８ＵＥおよび将来リリースＵＥの多重化の実施例を示す。
【図３】図３は、アンテナポートに関するＵＥとネットワークとの間のハンドシェイキングの手順の実施例を示す。
【図４】図４は、本開示の種々の実施形態のうちのいくつかに対して動作可能なＵＡを含む、無線通信システムの略図である。
【図５】図５は、本開示の種々の実施形態のうちのいくつかに対して動作可能なＵＡのブロック図である。
【図６】図６は、本開示の種々の実施形態のうちのいくつかに対して動作可能なＵＡ上で実装されてもよい、ソフトウェア環境の略図である。
【図７】図７は、本開示の複数の実施形態例のうちのいくつかに好適である、例証的な汎用コンピュータシステムである。
【発明を実施するための形態】
【００３１】
将来の展開では、４−ｔｘシステムが展開される時、初期Ｒｅｌ−８ＵＥおよびＵＥの将来リリースの両方をサポートすることは、同じシステムでそれらを多重化する必要がある。図１は、実施例としてそのような多重化を示す。
【００３２】
Ｒｅｌ−８仕様の修正
以下は、上記で説明される実施例をサポートする現在のＲｅｌ−８仕様に基づく修正の実施例である。例証を簡潔にするために、実施例のうちの１つだけを説明する。
【００３３】
変更は、以下で要約される。
【００３４】
ＲＲＣ信号伝達仕様
４−ｔｘアンテナ構成がｅＮＢによって使用されるかどうかを示すＩＥの定義。このＩＥは、専用ＲＲＣ信号伝達を通して特定のＵＥに送信される。
【００３５】
ＵＥ特有の伝送に使用されるＴＸアンテナの数と、パラメータの初期化および再構成を説明する手順テキストとを示すように、ｅＮＢによって送信される新しいパラメータの定義
ＰＨＹ層仕様
ＰＢＣＨ／ＰＣＦＩＣＨ／ＰＤＣＣＨ／ＰＨＩＣＨに対する層マッピングを２ＴｘＤに限定する
ＳＩ−ＲＮＴＩ、Ｐ−ＲＮＴＩ、ＲＡ−ＲＮＴＩ、および一時Ｃ−ＲＮＴＩによってスクランブルされるＰＤＣＣＨによって指し示されるＰＤＳＣＨに対する層マッピングを２ＴｘＤに限定する。上記で説明されるＲＲＣ信号伝達上で構成されるパラメータセットに基づいて、Ｃ−ＲＮＴＩによってスクランブルされるＰＤＣＣＨによって指し示されるＰＤＳＣＨに対する層マッピングを設定する。
【００３６】
いくつかの修正がＴＳ  ３６．３３１で必要とされる。
【００３７】
定義およびＩＥ変更：ＡｎｔｅｎｎａＩｎｆｏＤｅｄｉｃａｔｅｄ
新しいＩＥ「Ａｎｔｅｎｎａ４ＴｘＩｎｄｉｃａｔｏｒ」が定義され、既存のＩＥ「ＡｎｔｅｎｎａＩｎｆｏＤｅｄｉｃａｔｅｄ」の中へ追加される。
【００３８】
既存のＲｅｌ８  ＲＲＣ仕様（３ＧＰＰ  ＴＳ  ３６．３３１）における現在のＩＥ「ＡｎｔｅｎｎａＩｎｆｏＤｅｄｉｃａｔｅｄ」は、以下のように定義される。
【００３９】
【数１−１】
0005525606.tif 000006
【００４０】
【数１−２】
0005525606.tif 000007
新しいＩＥ「ＡｎｔｅｎｎａＩｎｆｏＤｅｄｉｃａｔｅｄ」は、以下の通りである。
【００４１】
【数２−１】
0005525606.tif 000008
【００４２】
【数２−２】
0005525606.tif 000009
ＩＥ「ＡｎｔｅｎｎａＩｎｆｏＤｅｄｉｃａｔｅｄ」が、ＩＥ「ＰｈｙｓｉｃａｌＣｏｎｆｉｇＤｅｄｉｃａｔｅｄ」に含有される一方で、ＩＥ「ＰｈｙｓｉｃａｌＣｏｎｆｉｇＤｅｄｉｃａｔｅｄ」はさらに、ＩＥ「ＲａｄｉｏＲｅｓｏｕｒｃｅＣｏｎｆｉｇＤｅｄｉｃａｔｅｄ」に含有される。
【００４３】
ＡｎｔｅｎｎａＩｎｆｏＤｅｄｉｃａｔｅｄというＩＥは、ＵＥ特有のアンテナ構成を特定するために使用される。
【００４４】
ＰｈｙｓｉｃａｌＣｏｎｆｉｇＤｅｄｉｃａｔｅｄというＩＥは、ＵＥ特有の物理チャネル構成を特定するために使用される。
【００４５】
ＲａｄｉｏＲｅｓｏｕｒｃｅＣｏｎｆｉｇＤｅｄｉｃａｔｅｄというＩＥは、ＲＢを設定／修正／解放するため、ＭＡＣ主要構成を修正するため、ＳＰＳ構成を修正するため、および専用物理構成を修正するために使用される。
【００４６】
ＲａｄｉｏＲｅｓｏｕｒｃｅＣｏｎｆｉｇＤｅｄｉｃａｔｅｄというＩＥはさらに、ＲＲＣメッセージ「ＲＲＣＣｏｎｎｅｃｔｉｏｎＲｅｃｏｎｆｉｇｕｒａｔｉｏｎ」、「ＲＲＣＣｏｎｎｅｃｔｉｏｎＲｅｅｓｔａｂｌｉｓｈｍｅｎｔ」、「ＲＲＣＣｏｎｎｅｃｔｉｏｎＳｅｔｕｐ」に含有され、専用信号伝達を介してＵＥに送達される。
【００４７】
例えば、メッセージ２およびメッセージ４の受信のために、ＵＥが「ＡｎｔｅｎｎａＩｎｆｏＤｅｄｉｃａｔｅｄ」を受信する前に、ｅＮＢおよびＵＥの両方は、ＰＢＣＨを介して検出される同じアンテナ構成がＰＤＣＣＨ／ＰＨＩＣＨ／ＰＣＩＦＣＨ／ＰＤＳＣＨに適用されることを仮定するべきである。
【００４８】
手順テキスト変更
新しいパラメータａｎｔｅｎｎａＰｏｒｔＤｅｄｉｃａｔｅｄの初期化を定義する
−−−−−−−−−−−テキスト提案の開始−−−−−−−−−−−−−−−−
ＰＢＣＨ復号によって判定されるアンテナポート数が２以上である場合には、ＵＥがａｎｔｅｎｎａＰｏｒｔＤｅｄｉｃａｔｅｄの値を２に設定し、そうでなければ、ＵＥがａｎｔｅｎｎａＰｏｒｔＤｅｄｉｃａｔｅｄの値を１に設定する。
−−−−−−−−−−テキスト提案の終了−−−−−−−−−−−−−−−−−−−
ａｎｔｅｎｎａＰｏｒｔＤｅｄｉｃａｔｅｄの再構成を定義する。
−−−−−−−−−−−テキスト提案の開始−−−−−−−−−−−−−−−−
５．３．１０．６  物理チャネル再構成
ＵＥは以下を行うものとする：
１＞受信したｐｈｙｓｉｃａｌＣｏｎｆｉｇＤｅｄｉｃａｔｅｄに従って、物理チャネル構成を再構成する。
１＞アンテナ情報が含まれ、「ｅｘｐｌｉｃｉｔＶａｌｕｅ」に設定される場合：
構成されたｔｒａｎｓｍｉｓｓｉｏｎＭｏｄｅが「ｔｍ３」または「ｔｍ４」ではない場合、以前に構成されていればｃｑｉ−ＲｅｐｏｒｔＰｅｒｉｏｄｉｃの中のｒｉ−ＣｏｎｆｉｇＩｎｄｅｘを解放する。
２＞ａｎｔｅｎｎａ４ＴｘＩｎｄｉｃａｔｏｒが「ＴＲＵＥ」に設定されている場合、ＵＥはａｎｔｅｎｎａＰｏｒｔＤｅｄｉｃａｔｅｄを４に設定するものとする。
１＞さもなければ、アンテナ情報が含まれ、「ｄｅｆａｕｌｔＶａｌｕｅ」に設定される場合、
２＞以前に構成されていればｃｑｉ−ＲｅｐｏｒｔＰｅｒｉｏｄｉｃの中のｒｉ−ＣｏｎｆｉｇＩｎｄｅｘを解放する。
−−−−−−−−−−テキスト提案の終了−−−−−−−−−−−−−−−−−−−
ＴＳ  ３６．２１１への修正
修正は、ＰＢＣＨ／ＰＣＦＩＣＨ／ＰＨＩＣＨ／ＰＤＣＣＨに対して最大２−ｔｘ伝送を限定するように、ＴＳ  ３６．２１１で行うことができる。
−−−−−−−−−−−テキスト提案の開始−−−−−−−−−−−−−−−−
６．６．３  層マッピングおよびプリコーディング
変調記号のブロックｄ（０），…，ｄ（Ｍｓｙｍｂ−１）は、Ｍｓｙｍｂ（０）＝Ｍｓｙｍｂを用いて第６．３．３．１項または６．３．３．３項に従って層にマップされ、第６．３．４．１項または６．３．４．３項のうちの１つに従って事前コード化されるものとし、ベクトルのブロックｙ（ｉ）＝［ｙ（０）（ｉ）…ｙ（ｐ−１）（ｉ）］Ｔ、ｉ＝０，…，Ｍｓｙｍｂ−１をもたらし、指揮中、ｙ（ｐ）（ｉ）は、アンテナポートｐに対する信号を表し、ｐ＝０，…，ｍｉｎ（Ｐ，２）−１であり、セル特有の参照信号Ｐ∈｛１，２，４｝に対するアンテナポートの数を表す。
−−−−−−−−−−テキスト提案の終了−−−−−−−−−−−−−−−−−−−
３６．２１２への修正
２−ＴｘＤがＰＢＣＨに使用される一方で、ｅＮＢが４−ｔｘ伝送を依然としてサポートできることを特定するように、別個のＰＢＣＨ  ＣＲＣマスキングを有することが所望される場合には、以下の修正を３６．２１２に行うことができる。
−−−−−−−−−−−テキスト提案の開始−−−−−−−−−−−−−−−−
５．３．１．１  輸送ブロックＣＲＣ添付
エラー検出が、周期的冗長チェック（ＣＲＣ）を通してＢＣＨ輸送ブロック上で提供される。輸送ブロック全体が、ＣＲＣパリティビットを計算するために使用される。層１に送達される輸送ブロックの中のビットを、ａ０，ａ１，ａ２，ａ３，…，ａＡ−１によって表し、パリティビットをｐ０，ｐ１，ｐ２，ｐ３，…，ｐＬ−１によって表す。Ａは、輸送ブロックのサイズであり、２４ビットに設定され、Ｌは、パリティビットの数である。最低次情報ビットａ０は、３ＧＰＰ  ＴＳ  ３６．２１３の第６．１．１項で定義されるような輸送ブロックの最上位ビットにマップされる。パリティビットは、計算され、従属節５．１．１に従ってＢＣＨ輸送ブロックに添付され、Ｌを１６ビットに設定する。添付後、ＣＲＣビットは、ビットｃ０，ｃ１，ｃ２，ｃ３，…，ｃＫ−１のシーケンスを形成するように、表５．３．１．１−１で示されるように、シーケンスｘａｎｔ，０，ｘａｎｔ，１，…，ｘａｎｔ，１５を伴うｅＮｏｄｅ−Ｂ伝送アンテナ構成に従ってスクランブルされる。
ｋ＝０，１，２，…，Ａ−１について  ｃｋ＝ａｋ
ｋ＝Ａ，Ａ＋１，Ａ＋２，．．．，Ａ＋１５について  ｃｋ＝（ｐＫ−Ａ＋ｘａｎｔ，Ｋ−Ａ）ｍｏｄ２
【００４９】
【化３】
0005525606.tif 000010
−−−−−−−−−−テキスト提案の終了−−−−−−−−−−−−−−−−−−−
３６．２１３への修正
３６．２１３では、ＵＥに対するＰＤＳＣＨのアンテナ構成を特定するために、ａｎｔｅｎｎａＰｏｒｔＤｅｄｉｃａｔｅｄを使用することができる。
−−−−−−−−−−テキスト提案の開始−−−−−−−−−−−−−−−−−−−
７．１．２  伝送ダイバーシティスキーム
ＰＤＳＣＨの伝送ダイバーシティ伝送スキームについて、ＵＥは、ＰＤＳＣＨ上のｅＮＢ伝送が、３ＧＰＰウェブサイト上で入手可能な３ＧＰＰ  ＴＳ  ３６．３３１バージョン８．６．０の第６．３．４．３項に従って行われることを仮定してもよい。ＳＩ−ＲＮＴＩ、Ｐ−ＲＮＴＩ、ＲＡ−ＲＮＴＩ、および一時Ｃ−ＲＮＴＩによって構成されるＰＤＳＣＨについて、２つのアンテナポートが伝送ダイバーシティに使用される。Ｃ−ＲＮＴＩおよびＳＰＳ  Ｃ−ＲＮＴＩによって構成されるＰＤＳＣＨについて、使用されるアンテナポートの数は、ａｎｔｅｎｎａＰｏｒｔＤｅｄｉｃａｔｅｄによって提供される。
−−−−−−−−−−テキスト提案の終了−−−−−−−−−−−−−−−−−−−
別の代替的アプローチでは、４−ｔｘ特徴に対するＩＯＴ特徴グループ指示が定義される。ＰＤＳＣＨ上のＩＯＴ認証４−ｔｘ特徴をサポートしない初期Ｒｅｌ−８ＵＥについては、そのような指示（例えば、ビット）は偽に設定される。ＰＤＳＣＨ上のＩＯＴ認証４−ｔｘ特徴をサポートするＵＥの将来リリースについては、そのような指示は真に設定される。ＵＥは、開始後に、他の特徴グループ指示ビットとともに、この指示をｅＮＢに送信する。
【００５０】
４−ｔｘをサポートするｅＮＢについては、ＰＢＣＨ、ＰＣＦＩＣＨ、ＰＤＣＣＨ、ＰＨＩＣＨ等の共通制御チャネルのために４−ｔｘ  ＴｘＤ伝送を構成する。ｅＮＢは、ＰＢＣＨ上で４−ｔｘ  ＣＲＣマスクを使用する。初期Ｒｅｌ−８ＵＥおよび将来リリースＵＥの両方について、ＵＥは、ＰＢＣＨを復号することによってアンテナ構成を検出することができる。４−ｔｘ共通ＲＳポートは、時間および周波数の両方で伝送される。初期Ｒｅｌ−８ＵＥは、ＰＢＣＨの復号を通して４−ｔｘアンテナ構成を検出した後、ＣＲＳポート２および３に指定されたＲＥにおいてＰＤＣＣＨ／ＰＤＳＣＨ伝送を期待するべきではない。
【００５１】
初期Ｒｅｌ−８ＵＥについては、そのＰＤＳＣＨチャネル上で、２−ｔｘ  ＴｘＤおよび２−ｔｘ  ＳＭの両方を含む、２−ｔｘ伝送をサポートすることができ、または、ＰＤＳＣＨに対する４−ｔｘ  ＴｘＤ、およびＰＤＳＣＨに対する２−ｔｘ  ＳＭをサポートすることができる。そのようなＵＥは、ｅＮＢから上位層信号伝達をさらに受信して、そのＰＤＳＣＨチャネル上で、２−ｔｘ  ＴｘＤおよび２−ｔｘ  ＳＭを含む、２−ｔｘ伝送を受信することを期待するべきであると知らせることができる。または、そのＰＤＳＣＨチャネル上で４−ｔｘ  ＴｘＤまたは２−ｔｘ  ＳＭを受信することを期待するべきである。
【００５２】
一実施例では、４−ｔｘをサポートするｅＮＢについては、例えば、その対応するＰＤＣＣＨがＳＩ−ＲＮＴＩ、ＲＡ−ＲＮＴＩ、Ｐ−ＲＮＴＩ、および一時Ｃ−ＲＮＴＩによって構成される、ＰＤＳＣＨ上でＵＥ特有御情報を伝送するために、４−ｔｘ伝送ダイバーシティを使用する。例えば、その対応するＰＤＣＣＨがＣ−ＲＮＴＩおよびＳＰＳ  Ｃ−ＲＮＴＩによって構成される、ＰＤＳＣＨ上でＵＥ特有の情報を伝送するために、使用されるアンテナポートの数は、ＲＲＣ信号伝達によって設定されるパラメータによって定義される。パラメータは、２とＰＢＣＨ復号後に取得されるアンテナポートの数との間の最小値に基づいて初期化され、ｅＮＢがＵＥから特徴グループ指示情報を取得した後にＲＲＣ信号伝達によって再構成することができる。
【００５３】
ＩＯＴ認証４−ｔｘ特徴をサポートする将来リリースＵＥについては、ｅＮＢは、全ての共通チャネルに対する４−ｔｘ  ＴｘＤと、ＰＤＳＣＨチャネルに対する４−Ｔｘ  ＴｘＤおよびＳＭとを含む、共通制御チャネルおよびＰＤＳＣＨチャネルの両方に対する４−ｔｘ伝送を構成する。
【００５４】
表２は、４−ｔｘシステムにおける、代替的アプローチでの中継Ｒｅｌ−８ＵＥおよび将来リリースＵＥ用の異なるチャネルに対する異なるアンテナ伝送構成を要約する。
【００５５】
【表２】
0005525606.tif 000011
この代替的アプローチは、ＲＡＮ  ５端末適合性試験において、中から高の共通制御チャネルおよびＰＤＳＣＨに対する４−ｔｘ  ＴｘＤの優先順位の上昇を必要とするが、残りの４−ｔｘ特徴の優先順位を不変に保ってもよい。これらの代替案の側面を以下のように要約することができる。
【００５６】
ＳＦＢＣ＋ＦＳＴＤが４−ｔｘ  ＴｘＤとして使用される際に、同じＡｌａｍｏｕｔｉデコーダをＵＥにおいて使用することができる。それは、２−ｔｘ  ＴｘＤがＩＯＴ試験に合格した場合、４−ｔｘ  ＴｘＤをサポートするリスクがＵＥの観点から非常に小さいことを意味する。
【００５７】
４−ｔｘ  ＴｘＤをサポートすることは、ＣＲＳポート２および３上のチャネル推定を必要としてもよい。ＣＲＳポート０および１上で使用される同様のチャネル推定方法を、ＣＲＳポート２および３に適用することができる場合、リスク排除する努力も非常に小さくなるべきである。
【００５８】
初期Ｒｅｌ−８ＵＥに対する共通制御チャネルに４−ｔｘ  ＴｘＤをサポートすることは、初期Ｒｅｌ−８ＵＥおよび将来リリースＵＥの両方に対する制御チャネルの同じ受信可能範囲を保証する。それはまた、何らかの多重化の問題を有する場合がある、ＰＤＣＣＨおよびＰＨＩＣＨチャネルにおけるアンテナ構成の混合をサポートしなければならないことも回避する。
【００５９】
将来、４−ｔｘシステムが展開される時、そのような初期Ｒｅｌ−８ＵＥおよびＵＥの将来リリースの両方をサポートすることは、同じシステムでそれらを多重化する必要がある。図２は、実施例としてそのような多重化を示す。
【００６０】
Ｒｅｌ−８仕様の修正
以下は、このアプローチをサポートする現在のＲｅｌ−８仕様に基づく修正の実施例である。例証を簡潔にするために、実施例のうちの１つだけを説明する。
【００６１】
変更は、以下で要約される。
【００６２】
ＲＲＣ信号伝達仕様
ＵＥ特有のＰＤＳＣＨ伝送に使用されるＴｘアンテナ構成の数を示すＩＥの定義
ＵＥ特有の伝送に使用されるＴＸアンテナの数と、パラメータの初期化および再構成を説明する手順テキストとを示す新しいパラメータの定義
ＰＨＹ層仕様
ＳＩ−ＲＮＴＩ、Ｐ−ＲＮＴＩ、ＲＡ−ＲＮＴＩ、および一時Ｃ−ＲＮＴＩによって構成されるＰＤＳＣＨに対する層マッピングを４−ｔｘ  ＴｘＤに限定する。上記で説明されるＲＲＣ信号伝達に基づくパラメータセットに基づいて、Ｃ−ＲＮＴＩによって構成されるＰＤＳＣＨに対する層マッピングを設定する。
【００６３】
ＴＳ  ３６．３３１への修正
１．新しいＩＥ定義
新しいＩＥ「ＡｎｔｅｎｎａＰＤＳＣＨＩｎｄｉｃａｔｏｒ」が定義され、既存のＩＥ「ＡｎｔｅｎｎａＩｎｆｏＤｅｄｉｃａｔｅｄ」の中へ追加される。
【００６４】
新しいＩＥ「ＡｎｔｅｎｎａＩｎｆｏＤｅｄｉｃａｔｅｄ」は、以下のように定義される。
【００６５】
【数３−１】
0005525606.tif 000012
【００６６】
【数３−２】
0005525606.tif 000013
例えば、メッセージ２およびメッセージ４の受信のために、ＵＥが「ＡｎｔｅｎｎａＩｎｆｏＤｅｄｉｃａｔｅｄ」を受信する前に、ｅＮＢおよびＵＥの両方は、ＰＢＣＨを介して検出される同じアンテナ構成がＰＤＣＣＨ／ＰＨＩＣＨ／ＰＣＩＦＣＨ／ＰＤＳＣＨに適用されることを仮定するべきである。
【００６７】
２．手順テキスト変更
新しいパラメータａｎｔｅｎｎａＰｏｒｔＤｅｄｉｃａｔｅｄおよび関連初期化／再構成が定義される。
【００６８】
ａｎｔｅｎｎａＰｏｒｔＤｅｄｉｃａｔｅｄの値は、ＰＢＣＨ復号によいって判定されるアンテナポート数に初期化されるべきである。
【００６９】
新しいパラメータａｎｔｅｎｎａＰｏｒｔＤｅｄｉｃａｔｅｄの初期化を定義する
−−−−−−−−−−テキスト提案の開始−−−−−−−−−−−−−−−−−−−
ＰＢＣＨ復号によって判定されるアンテナポート数が２以上である場合には、ＵＥがａｎｔｅｎｎａＰｏｒｔＤｅｄｉｃａｔｅｄの値を２に設定し、そうでなければ、ＵＥがａｎｔｅｎｎａＰｏｒｔＤｅｄｉｃａｔｅｄの値を１に設定する。
−−−−−−−−−−テキスト提案の終了−−−−−−−−−−−−−−−−−−−
ａｎｔｅｎｎａＰｏｒｔＤｅｄｉｃａｔｅｄの再構成を定義する。
−−−−−−−−−−テキスト提案の開始−−−−−−−−−−−−−−−−−−−
５．３．１０．６  物理チャネル再構成
ＵＥは以下を行うものとする：
１＞受信したｐｈｙｓｉｃａｌＣｏｎｆｉｇＤｅｄｉｃａｔｅｄに従って、物理チャネル構成を再構成する。
１＞アンテナ情報が含まれ、「ｅｘｐｌｉｃｉｔＶａｌｕｅ」に設定される場合：
構成されたｔｒａｎｓｍｉｓｓｉｏｎＭｏｄｅが「ｔｍ３」または「ｔｍ４」ではない場合、以前に構成されていればｃｑｉ−ＲｅｐｏｒｔＰｅｒｉｏｄｉｃの中のｒｉ−ＣｏｎｆｉｇＩｎｄｅｘを解放する。
２＞ａｎｔｅｎｎａＰｏｒｔＤｅｄｉｃａｔｅｄをａｎｔｅｎｎａＰＤＳＣＨＤｅｄｉｃａｔｅｄに設定する。
１＞さもなければ、アンテナ情報が含まれ、「ｄｅｆａｕｌｔＶａｌｕｅ」に設定される場合、
２＞以前に構成されていればｃｑｉ−ＲｅｐｏｒｔＰｅｒｉｏｄｉｃの中のｒｉ−ＣｏｎｆｉｇＩｎｄｅｘを解放する。
−−−−−−−−−−テキスト提案の終了−−−−−−−−−−−−−−−−−−−
ＴＳ  ３６．２１３への修正
１．ＴＳ  ３６．２１３におけるＵＥ特有の伝送のためのＰＤＳＣＨ  ＴｘＤのアンテナ構成を特定するために、ａｎｔｅｎｎａＰｏｒｔＤｅｄｉｃａｔｅｄを使用する。
−−−−−−−−−−テキスト提案の開始−−−−−−−−−−−−−−−−−−−
７．１．２  伝送ダイバーシティスキーム
ＰＤＳＣＨの伝送ダイバーシティ伝送スキームについて、ＵＥは、ＰＤＳＣＨ上のｅＮＢ伝送が、［３］の第６．３．４．３項に従って行われることを仮定してもよい。ＳＩ−ＲＮＴＩ、Ｐ−ＲＮＴＩ、ＲＡ−ＲＮＴＩ、および一時Ｃ−ＲＮＴＩによって構成されるＰＤＳＣＨについて、４つのアンテナポートが伝送ダイバーシティに使用される。Ｃ−ＲＮＴＩおよびＳＰＳ  Ｃ−ＲＮＴＩによって構成されるＰＤＳＣＨについて、使用されるアンテナポートの数は、ａｎｔｅｎｎａＰｏｒｔＤｅｄｉｃａｔｅｄによって提供される。
−−−−−−−−−−テキスト提案の終了−−−−−−−−−−−−−−−−−−−
実施例として図３に示されるように、ＵＥがｅＮＢからダウンリンク伝送アンテナ構成を取得するための一般的手順は、以下のようになり得る。
【００７０】
ＵＥは、ＰＢＣＨを復号することにより、ｅＮＢの初期アンテナポートを取得することができ、そのような情報は、共通制御チャネルおよび何らかの非ＵＥ特有のＰＤＳＣＨチャネルを受信するために使用することができる。
【００７１】
対応するＣＲＣマスキング用いたＰＢＣＨのブラインド復号を通して、ＵＥはまた、４−ｔｘ伝送をサポートすることができるかどうか等の、ｅＮＢ伝送アンテナ能力についての何らかの情報を取得することもできる。そのような情報は、ＣＲＳポート２および３が伝送されるかどうかを判定するために使用することができ、したがって、ＵＥは、ＣＲＳポート２および３に指定されたＲＥ上でのデータ伝送を期待するべきではない。
【００７２】
次いで、ＵＥは、４−ｔｘ特徴に対するビットを含む、その特徴グループ指示ビットをｅＮＢに送信する。このビットは、ＵＥが４−ｔｘ  ＩＯＴ認証されているかどうかを表す。
【００７３】
特徴グループ指示ビットを受信することによって、ｅＮＢは、対応する４−ｔｘ特徴グループインジケータから、完全または部分的ＩＯＴ認証Ｒｅｌ−８  ４−ｔｘ特徴をサポートするＵＥの能力を知る。例えば、上記で説明される第１のアプローチでは、受信した４−ｔｘ特徴グループインジケータが偽である場合、それは、ＵＥがＩＯＴ認証４−ｔｘ特徴をサポートできないことを意味する。しかしながら、受信したそのようなビットが第２のアプローチで偽である場合、ＵＥは、４−ｔｘ  ＴｘＤ等の部分的４−ｔｘ特徴をサポートすることが可能と見なされるべきである。
【００７４】
ｅＮＢはまた、ＲＲＣ等の専用上位層信号を通して、アンテナポート情報をＵＥに送信することもできる。そのような情報は、ＵＥがＰＢＣＨから取得した初期アンテナポートを更新するために仕様することができる。
【００７５】
ｅＮＢは、いくつかのチャネル上で特定されたアンテナポートを使用して、ＵＥへの伝送を開始することができる。
【００７６】
上記で論議されるアプローチの要約が、表３で要約されている。
【００７７】
【表３−１】
0005525606.tif 000014
【００７８】
【表３−２】
0005525606.tif 000015
図４は、ＵＡ１０の実施形態を含む、無線通信システムを図示する。ＵＡ１０は、本開示の側面を実装するために動作可能であるが、本開示は、これらの実装に限定されるべきではない。携帯電話として図示されているが、ＵＡ１０は、無線ハンドセット、ポケットベル、携帯情報端末（ＰＤＡ）、携帯用コンピュータ、タブレットコンピュータ、ラップトップコンピュータを含む、種々の形態を成してもよい。多くの好適なデバイスは、これらの機能のうちのいくつかはまた全てを組み合わせる。本開示のいくつかの実施形態では、ＵＡ１０は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。ＵＡ１０はまた、デスクトップコンピュータ、セットトップボックス、またはネットワークノード等、同様の能力を有するが運搬可能ではないデバイスであってもよく、デバイスを含んでもよく、あるいはデバイス内に含められてもよい。ＵＡ１０は、ゲーム、在庫管理、ジョブ制御、および／またはタスク管理機能等、特殊活動をサポートしてもよい。
【００７９】
ＵＡ１０は、ディスプレイ７０２を含む。ＵＡ１０はまた、ユーザによる入力のために、概して７０４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。ＵＡ１０は、ユーザが選択するためのオプション、ユーザが作動させるための制御、および／またはユーザが指図するためのカーソルあるいは他のインジケータを提示してもよい。
【００８０】
ＵＡ１０はさらに、ダイヤルする番号、またはＵＡ１０の動作を構成するための種々のパラメータ値を含む、ユーザからのデータ入力を受け取ってもよい。ＵＡ１０はさらに、ユーザコマンドに応じて、１つ以上のソフトウェアまたはファームウェアアプリケーションを実行してもよい。これらのアプリケーションは、ユーザ対話に応じて、種々のカスタマイズされた機能を果たすようにＵＡ１０を構成してもよい。加えて、ＵＡ１０は、例えば、無線基地局、無線アクセスポイント、またはピアＵＡ１０から、無線でプログラムおよび／または構成されてもよい。
【００８１】
ＵＡ１０によって実行可能な種々のアプリケーションの中には、ディスプレイ７０２がウェブページを表示することを可能にするウェブブラウザがある。ウェブページは、無線ネットワークアクセスノード、携帯電話の基地局、ピアＵＡ１０、または任意の他の無線通信ネットワークあるいはシステム７００との無線通信を介して、取得されてもよい。ネットワーク７００は、インターネット等の有線ネットワーク７０８に連結される。無線リンクおよび有線ネットワークを介して、ＵＡ１０は、サーバ７１０等の種々のサーバ上の情報にアクセスできる。サーバ７１０は、ディスプレイ７０２上に示されてもよい、コンテンツを提供してもよい。代替として、ＵＡ１０は、中継型またはホップ型接続で仲介としての役割を果たす、ピアＵＡ１０を通してネットワーク７００にアクセスしてもよい。
【００８２】
図５は、ＵＡ１０のブロック図を示す。ＵＡ１０の種々の既知の構成要素が描写されているが、実施形態では、記載された構成要素の一部および／または記載されていない付加的な構成要素が、ＵＡ１０に含まれてもよい。ＵＡ１０は、デジタル信号プロセッサ（ＤＳＰ）８０２と、メモリ８０４とを含む。示されるように、ＵＡ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入力／出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含んでもよい液晶ディスプレイ（ＬＣＤ）８３０と、ＬＣＤコントローラ８３２と、電荷結合素子（ＣＣＤ）カメラ８３４と、カメラコントローラ８３６と、グローバルポジショニングシステム（ＧＰＳ）センサ８３８とを含んでもよい。実施形態では、ＵＡ１０は、タッチセンサ式スクリーンを提供しない、別の種類のディスプレイを含んでもよい。実施形態では、ＤＳＰ８０２は、入力／出力インターフェース８１８を通過せずに、メモリ８０４と直接通信してもよい。
【００８３】
ＤＳＰ８０２または何らかの他の形態のコントローラあるいは中央処理ユニットは、メモリ８０４に記憶された、またはＤＳＰ８０２自体内に含有されるメモリに記憶された、組み込みソフトウェアまたはファームウェアに従って、ＵＡ１０の種々の構成要素を制御するように動作する。組み込みソフトウェアまたはファームウェアに加えて、ＤＳＰ８０２は、メモリ８０４に記憶された、または、可撤性メモリカード８２０のような携帯用データ記憶媒体等の情報搬送波媒体を介して、あるいは有線または無線ネットワーク通信を介して利用可能となる、他のアプリケーションを実行してもよい。アプリケーションソフトウェアは、所望の機能性を提供するようにＤＳＰ８０２を構成する、コンパイルされた一式の機械読み取り可能命令を備えてもよく、または、アプリケーションソフトウェアは、ＤＳＰ８０２を間接的に構成するようにインタープリタまたはコンパイラによって処理される、高次ソフトウェア命令であってもよい。
【００８４】
アンテナおよびフロントエンドユニット８０６は、無線信号と電気信号との間で変換するように提供されてもよく、ＵＡ１０が、セルラーネットワークまたは何らかの他の利用可能な無線通信ネットワークから、あるいはピアＵＡ１０から、情報を送受信することを可能にする。実施形態では、アンテナおよびフロントエンドユニット８０６は、ビーム形成および／または多重入出力（ＭＩＭＯ）動作をサポートするように複数のアンテナを含んでもよい。当業者に公知であるように、ＭＩＭＯ動作は、困難なチャネル条件を克服する、および／またはチャネルスループットを増加させるために使用することができる、空間的多様性を提供してもよい。アンテナおよびフロントエンドユニット８０６は、アンテナ同調および／またはインピーダンス整合構成要素、ＲＦ電力増幅器、および／または低雑音増幅器を含んでもよい。
【００８５】
ＲＦ送受信機８０８は、周波数偏移を提供し、受信したＲＦ信号をベースバンドに変換し、ベースバンド送信信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解されてもよい。簡単にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り当てる。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられてもよい。
【００８６】
アナログベースバンド処理ユニット８１０は、入力および出力の種々のアナログ処理、例えば、マイクロホン８１２およびヘッドセット８１６からの入力と、イヤホン８１４およびヘッドセット８１６への出力のアナログ処理を提供してもよい。その目的を達成するために、アナログベースバンド処理ユニット８１０は、ＵＡ１０が携帯電話として使用されることを可能にする、内蔵マイクロホン８１２およびイヤホンスピーカ８１４に接続するためのポートを有してもよい。さらに、アナログベースバンド処理ユニット８１０は、ヘッドセットまたは他のハンズフリーマイクロホンおよびスピーカ構成に接続するためのポートを含んでもよい。アナログベースバンド処理ユニット８１０は、１つの信号方向にデジタル・アナログ変換を、反対の信号方向にアナログ・デジタル変換を提供してもよい。いくつかの実施形態では、アナログベースバンド処理ユニット８１０の機能性の少なくとも一部が、デジタル処理構成要素によって、例えば、ＤＳＰ８０２によって、または他の中央処理ユニットによって提供されてもよい。
【００８７】
ＤＳＰ８０２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。ある実施形態では、例えば、符号分割多重アクセス（ＣＤＭＡ）技術用途において、送信機機能のために、ＤＳＰ８０２は、変調、符号化、インターリービング、および拡散を行ってもよく、受信機機能のために、ＤＳＰ８０２は、逆拡散、デインターリービング、復号、および復調を行ってもよい。別の実施形態では、例えば、直交周波数分割多重アクセス（ＯＦＤＭＡ）技術用途において、送信機機能のために、ＤＳＰ８０２は、変調、符号化、インターリービング、逆高速フーリエ変換、および周期的接頭辞添付を行ってもよく、受信機機能のために、ＤＳＰ８０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ８０２によって行われてもよい。
【００８８】
ＤＳＰ８０２は、アナログベースバンド処理ユニット８１０を介して無線ネットワークと通信してもよい。いくつかの実施形態では、通信は、インターネット接続を提供し、ユーザがインターネット上のコンテンツへのアクセスを獲得すること、および電子メールまたはテキストメッセージを送受信することを可能にしてもよい。入力／出力インターフェース８１８は、ＤＳＰ８０２ならびに種々のメモリおよびインターフェースを相互接続する。  メモリ８０４および可撤性メモリカード８２０は、ＤＳＰ８０２の動作を構成するようにソフトウェアおよびデータを提供してもよい。インターフェースの中には、ＵＳＢインターフェース８２２および短距離無線通信サブシステム８２４があってもよい。ＵＳＢインターフェース８２２は、ＵＡ１０を充電するために使用されてもよく、また、ＵＡ１０が、パーソナルコンピュータまたは他のコンピュータシステムと情報を交換するように周辺デバイスとして機能することを可能にしてもよい。短距離無線通信サブシステム８２４は、赤外線ポート、Ｂｌｕｅｔｏｏｔｈ（登録商標）インターフェース、ＩＥＥＥ８０２．１１準拠無線インターフェース、またはＵＡ１０が他の近くのモバイルデバイスおよび／または無線基地局と無線通信することを可能にしてもよい、任意の他の短距離無線通信サブシステムを含んでもよい。
【００８９】
入力／出力インターフェース８１８はさらに、トリガされると、例えば、ベルを鳴らす、メロディを再生する、または振動することによって、ＵＡ１０にユーザへ指示を提供させる、アラート８２６にＤＳＰ８０２を接続してもよい。アラート８２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【００９０】
キーパッド８２８は、インターフェース８１８を介してＤＳＰ８０２に連結し、ユーザが、選択を行う、情報を入力する、および別様にＵＡ１０に入力を提供するための１つの機能を提供する。キーボード８２８は、ＱＷＥＲＴＹ、Ｄｖｏｒａｋ、ＡＺＥＲＴＹ、および逐次タイプ等の完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。別の入力機構は、タッチスクリーン能力を含み、また、ユーザにテキストおよび／またはグラフィックを表示してもよい、ＬＣＤ８３０であってもよい。ＬＣＤコントローラ８３２は、ＤＳＰ８０２をＬＣＤ８３０に連結する。
【００９１】
ＣＣＤカメラ８３４は、装備された場合、ＵＡ１０がデジタル写真を撮ることを可能にする。ＤＳＰ８０２は、カメラコントローラ８３６を介してＣＣＤカメラ８３４と通信する。別の実施形態では、電荷結合素子カメラ以外の技術に従って動作するカメラが採用されてもよい。ＧＰＳセンサ８３８は、グローバルポジショニングシステム信号を復号するようにＤＳＰ８０２に連結され、それによって、ＵＡ１０がその位置を判定することを可能にする。また、種々の他の周辺機器が、付加的な機能、例えば、ラジオおよびテレビ受信を提供するように含まれてもよい。
【００９２】
図６は、ＤＳＰ８０２によって実装されてもよい、ソフトウェア環境９０２を図示する。ＤＳＰ８０２は、ソフトウェアの残りが動作する、プラットフォームを提供する、オペレーティングシステムドライバ９０４を実行する。オペレーティングシステムドライバ９０４は、ＵＡハードウェアのためのドライバに、アプリケーションソフトウェアにアクセス可能な標準インターフェースを提供する。  オペレーティングシステムドライバ９０４は、ＵＡ１０上で作動するアプリケーション間で制御を移送する、アプリケーション管理サービス（「ＡＭＳ」）９０６を含む。また、図６には、ウェブブラウザアプリケーション９０８、メディアプレーヤアプリケーション９１０、およびＪａｖａ（登録商標）アプレット９１２も示されている。ウェブブラウザアプリケーション９０８は、ウェブブラウザとして動作するようにＵＡ１０を構成し、ユーザがフォームに情報を入力し、ウェブページを読み出して閲覧するようにリンクを選択することを可能にする。メディアプレーヤアプリケーション９１０は、音声または視聴覚媒体を読み出し、再生するようにＵＡ１０を構成する。Ｊａｖａ（登録商標）アプレット９１２は、ゲーム、ユーティリティ、および他の機能性を提供するようにＵＡ１０を構成する。構成要素９１４は、本明細書で説明される機能性を提供する場合がある。
【００９３】
上記で説明されるＵＡ、基地局、および他の構成要素は、上記で説明される作用に関連する命令を実行することが可能である、処理構成要素を含む場合がある。図７は、本明細書で開示される１つ以上の実施形態を実装するために好適な処理構成要素１０１０を含む、システム１０００の実施例を図示する。プロセッサ１０１０（中央プロセッサユニット（ＣＰＵまたはＤＳＰ）と呼ばれてもよい）に加えて、システム１０００は、ネットワーク接続デバイス１０２０と、ランダムアクセスメモリ（ＲＡＭ）１０３０と、読取専用メモリ（ＲＯＭ）１０４０と、二次記憶装置１０５０と、入力／出力（Ｉ／Ｏ）デバイス１０６０とを含む場合がある。場合によっては、これらの構成要素のうちのいくつかは存在しなくてもよく、または相互と、あるいは示されていない他の構成要素との種々の組み合わせで組み合わせられてもよい。これらの構成要素は、単一の物理エンティティ内、または２つ以上の物理エンティティ内に位置する場合がある。プロセッサ１０１０によって講じられるものとして本明細書で説明されるの措置は、プロセッサ１０１０のみによって、あるいは図中に示される、または示されない１つ以上の構成要素と協働するプロセッサ１０１０によって、講じられる場合がある。
【００９４】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１０１０のみが示されているが、複数のプロセッサが存在してもよい。したがって、命令が、プロセッサによって実行されているように述べられ得るが、命令は、同時に、順次、あるいは別様に１つまたは複数のプロセッサによって実行されてもよい。プロセッサ１０１０は、１つ以上のＣＰＵチップとして実装されてもよい。
【００９５】
ネットワーク接続デバイス１０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の公知のデバイスの形態を成してもよい。これらのネットワーク接続性デバイス１０２０によって、プロセッサ１０１０が、情報を受信する場合があるか、またはプロセッサ１０１０が情報を出力する場合がある、インターネット、あるいは１つ以上の電気無線通信ネットワークまたは他のネットワークと、プロセッサ１０１０が通信することを可能にしてもよい。
【００９６】
ネットワーク接続デバイス１０２０はまた、無線周波数信号またはマイクロ波周波数信号等の電磁波の形態で、データを無線で送信および／または受信することが可能な１つ以上の送受信機構成要素１０２５も含む場合がある。代替として、データは、導電体の表面内または上を、同軸ケーブル内、導波管内、光ファイバ等の光媒体内、あるいは他の媒体内を伝播してもよい。送受信機構成要素１０２５は、別個の受信および送信ユニット、または単一の送受信機を含んでもよい。送受信機１０２５によって伝送または受信される情報は、プロセッサ１０１０によって処理されたデータ、またはプロセッサ１０１０によって実行される命令を含んでもよい。そのような情報は、例えば、コンピュータデータベースバンド信号または搬送波で具現化される信号の形態で、ネットワークから受信され、ネットワークに出力されてもよい。データは、データを処理または生成するため、あるいはデータを伝送または受信するために望ましくてもよい、異なるシーケンスに従って順序付けられてもよい。ベースバンド信号、搬送波に統合される信号、あるいは現在使用されている、または今後開発される他の種類の信号は、送信媒体と称されてもよく、当業者に周知のいくつかの方法に従って生成されてもよい。
【００９７】
ＲＡＭ１０３０は、揮発性データを記憶するため、およびおそらくプロセッサ１０１０によって実行される命令を記憶するために使用される場合がある。ＲＯＭ１０４０は、典型的には二次記憶装置１０５０のメモリ能力よりも小さいメモリ能力を有する、不揮発性メモリデバイスである。ＲＯＭ１０４０は、命令、およびおそらく命令の実行中に読み出されるデータを記憶するために使用される場合がある。ＲＡＭ１０３０およびＲＯＭ１０４０の両方へのアクセスは、典型的には、二次記憶装置１０５０へのアクセスよりも速い。二次記憶装置１０５０は、典型的には、１つ以上のディスクドライブまたはテープドライブから成り、ＲＡＭ１０３０が全ての作業用データを保持するのに十分大きくない場合、データの不揮発性保存用に、またはオーバーフローデータ記憶デバイスとして使用される場合がある。二次記憶装置１０５０は、プログラムが実行用に選択される時、ＲＡＭ１０３０へロードされるプログラムを記憶するために使用されてもよい。
【００９８】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入出力デバイスを含んでもよい。  また、送受信機１０２５は、ネットワーク接続デバイス１０２０の構成要素である代わりに、またはそれに加えて、Ｉ／Ｏデバイス１０６０の構成要素と見なされる場合がある。Ｉ／Ｏデバイス１０６０のうちのいくつかまたは全ては、ディスプレイ７０２および入力７０４等の、ＵＡ１０の以前に説明された図面で描写される種々の構成要素と実質的に同様であってもよい。
【００９９】
以下の３ｒｄ  Ｇｅｎｅｒａｔｉｏｎ  Ｐａｒｔｎｅｒｓｈｉｐ  Ｐｒｏｊｅｃｔ  （３ＧＰＰ）  Ｔｅｃｈｎｉｃａｌ  Ｓｐｅｃｉｆｉｃａｔｉｏｎｓ  （ＴＳ）が、参照することにより本明細書に組み込まれる。
３ＧＰＰ  ＴＳ  ３６．２１２，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＥＵＴＲＡ），  Ｍｕｌｔｉｐｌｅｘｉｎｇ  ａｎｄ  Ｃｈａｎｎｅｌ  Ｃｏｄｉｎｇ，  Ｖ８．７．０  （２００９−０６）
ＲＰ−０９０５７１，  “Ｐｒｏｐｏｓｅｄ  Ｍｏｄｉｆｉｃａｔｉｏｎｓ  ｔｏ  ＬＴＥ  ｆｅａｔｕｒｅ  ｇｒｏｕｐ  ｉｎｄｉｃａｔｉｏｎｓ”，  Ｎｏｋｉａ  Ｓｉｅｍｅｎｓ  Ｎｅｔｗｏｒｋｓ，  Ｎｏｋｉａ  Ｃｏｒｐｏｒａｔｉｏｎ，  ３ＧＰＰ  ＴＳＧ−ＲＡＮ  Ｐｌｅｎａｒｙ  Ｍｅｅｔｉｎｇ  ＃４４，  Ａｒｕｂａ，  Ｎｅｔｈｅｒｌａｎｄ  
３ＧＰＰ  ＴＳ  ３６．３３１，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＥＵＴＲＡ），  Ｒａｄｉｏ  Ｒｅｓｏｕｒｃｅ  Ｃｏｎｔｒｏｌ，  Ｖ８．６．０  （２００９−０６）
３ＧＰＰ  ＴＳ  ３６．２１１，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＥＵＴＲＡ），  Ｐｈｙｓｉｃａｌ  Ｃｈａｎｎｅｌｓ  ａｎｄ  Ｍｏｄｕｌａｔｉｏｎ，  Ｖ８．７．０  （２００９−０６）
３ＧＰＰ  ＴＳ  ３６．２１３，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＥＵＴＲＡ），  Ｐｈｙｓｉｃａｌ  Ｌａｙｅｒ  Ｐｒｏｃｅｄｕｒｅｓ，  Ｖ８．７．０  （２００９−０６）。
【０１００】
いくつかの実施形態が、本開示で提供されているが、開示されたシステムおよび方法が、本開示の精神または範囲から逸脱することなく、多くの他の特定の形態で具現化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【０１０１】
前述の内容は、例えば、コンピュータ読み取り可能命令を使用して実装されてもよい、種々の過程および機能性を説明している。過程および機能性例は、１つ以上のプロセッサ、コントローラ、および／または任意の他の好適な処理デバイスを使用して行われてもよい。例えば、過程および機能性例は、メモリ、読み出し専用メモリ（ＲＯＭ）、および／またはランダムアクセスメモリ（ＲＡＭ）等の１つ以上の有形コンピュータ読み取り可能媒体上に記憶される、コード化された命令（例えば、コンピュータ読み取り可能命令）を使用して実装されてもよい。本明細書で使用されるように、有形コンピュータ読み取り可能媒体という用語は、任意の種類のコンピュータ読み取り可能記憶装置を含むように、および伝搬信号を排除するように明示的に定義される。加えて、または代替として、過程および機能性例は、フラッシュメモリ、読み出し専用メモリ（ＲＯＭ）、ランダムアクセスメモリ（ＲＡＭ）、キャッシュ、または情報が任意の持続時間にわたって（例えば、長期間にわたって、永久的に、短期間に、一時的にバッファに格納するために、および／または情報のキャッシングのために）記憶される任意の他の記憶装置等の１つ以上の非一過性のコンピュータ読み取り可能媒体上に記憶される、コード化された命令（例えば、コンピュータ読み取り可能命令）を使用して実装されてもよい。本明細書で使用されるように、非一過性のコンピュータ読み取り可能媒体という用語は、任意の種類のコンピュータ読み取り可能記憶装置を含むように、および伝搬信号を排除するように明示的に定義される。
【０１０２】
代替として、過程および機能性例のうちのいくつか、または全ては、特殊用途向け集積回路（ＡＳＩＣ）、プログラム可能論理デバイス（ＰＬＤ）、フィールドプログラマブル論理デバイス（ＦＰＬＤ）、個別論理、ハードウェア、ファームウェア等の論理の任意の組み合わせを使用して実装されてもよい。また、過程および機能性例のうちのいくつか、または全ては、手動で、または前述の技法のうちのいずれかの任意の組み合わせ、例えば、ファームウェア、ソフトウェア、個別論理、および／またはハードウェアの任意の組み合わせとして、実装されてもよい。さらに、過程および機能性例は、図面を参照して説明されるが、過程および機能性を実装する他の方法が採用されてもよい。
【０１０３】
また、離散したものまたは別個のものとして種々の実施形態において説明および例証される技術、システム、サブシステム、方法、機能性、および過程は、本開示の範囲から逸脱することなく、他のシステム、モジュール、技法、または方法と組み合わせられ、または一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の例は、当業者により解明可能であり、本明細書で開示される精神および範囲から逸脱することなく行われてもよい。
（項目１Ａ）
ユーザ機器とネットワークとの間で通信を確立する方法であって、
制御チャネルメッセージを受信することと、
該制御チャネルメッセージを復号することと、
第１の数のアンテナから信号を受信する相互運用性が該ユーザ機器に認証されているかどうかという指示を送信することと
を含む、方法。
（項目２Ａ）
上記制御チャネルメッセージは、上記ネットワークのアンテナ能力を示すように符号化される、項目１に記載の方法。
（項目３Ａ）
上記制御チャネルメッセージは、２つのアンテナを使用して送信され、上記符号化することは、上記ネットワークが４つの伝送アンテナを使用することが可能であることを示す、項目２に記載の方法。
（項目４Ａ）
無線リソース制御を通して、上記ネットワークが４つの伝送アンテナを使用することが可能であるという信号伝達を受信することをさらに含む、項目１に記載の方法。
（項目５Ａ）
上記第１の数のアンテナから信号を受信する相互運用性が上記ユーザ機器に認証されているかどうかという指示を送信することは、特徴グループインジケータの一部として該指示を送信することを含む、項目１に記載の方法。
（項目６Ａ）
上記指示が、上記第１の数のアンテナの相互運用性が上記ユーザ機器に認証されていることを特定する場合、第２の数のアンテナが制御チャネル上の通信に使用され、該第１の数のアンテナがユーザ機器特有の物理ダウンリンク共有チャネル上の通信に使用される、項目１に記載の方法。
（項目７Ａ）
ＰＨＩＣＨグループにおいて、同じアンテナ構成を伴う物理ハイブリッドＡＲＱチャネル（ＰＨＩＣＨ）をグループ化することをさらに含む、項目１に記載の方法。
（項目８Ａ）
ＰＨＩＣＨグループにおいて、異なるアンテナ構成を伴う物理ハイブリッドＡＲＱチャネル（ＰＨＩＣＨ）をグループ化することをさらに含む、項目１に記載の方法。
（項目９Ａ）
上記指示が、上記第１の数のアンテナの相互運用性が上記ユーザ機器に認証されていることを特定する場合、第２の数のアンテナが共通制御チャネル上の通信に使用され、該第１の数のアンテナがユーザ機器特有のチャネル上の通信に使用される、項目１に記載の方法。
（項目１０Ａ）
上記指示が、上記第１の数のアンテナの相互運用性が上記ユーザ機器に認証されていないことを特定する場合、第２の数のアンテナが全チャネル上の通信に使用される、項目１に記載の方法。
（項目１１Ａ）
上記指示が、上記第１の数のアンテナの相互運用性が上記ユーザ機器によって認証されていないことを特定する場合、該第１の数のアンテナが制御チャネル上の通信に使用され、第２の数のアンテナがユーザ機器特有の物理ダウンリンク共有チャネル上の通信に使用される、項目１に記載の方法。
（項目１２Ａ）
上記指示が、上記第１の数のアンテナの相互運用性が上記ユーザ機器によって認証されていないことを特定する場合、該第１の数のアンテナがユーザ機器特有の制御チャネル上の通信に使用され、該第１の数のアンテナおよび第２の数のアンテナがユーザ機器特有の物理ダウンリンク共有チャネル上の通信に使用される、項目１に記載の方法。
（項目１３Ａ）
上記第１の数のアンテナおよび上記第２の数のアンテナは、伝送ダイバーシティおよび空間多重化のうちの１つを使用して伝送する、項目１２に記載の方法。
（項目１４Ａ）
上記指示が、上記第１の数のアンテナの相互運用性が上記ユーザ機器に認証されていることを特定する場合、該第１の数のアンテナが全チャネル上の通信に使用される、項目１に記載の方法。
（項目１５Ａ）
ユーザ機器とネットワークとの間で通信を確立する方法であって、
制御チャネルメッセージを符号化することと、
該符号化された制御チャネルメッセージを送信することと、
第１の数のアンテナから信号を受信する相互運用性が該ユーザ機器に認証されているかどうかという指示を受信することと
を含む、方法。
（項目１６Ａ）
上記符号化された制御チャネルメッセージは、上記ネットワークのアンテナ能力を示す、項目１５に記載の方法。
（項目１７Ａ）
上記符号化された制御チャネルメッセージは、２つのアンテナを使用して送信され、該符号化することは、上記ネットワークが４つの伝送アンテナを使用することが可能であることを示す、項目１６に記載の方法。
（項目１８Ａ）
無線リソース制御を通して、上記ネットワークが４つの伝送アンテナを使用することが可能であるという信号伝達を送信することをさらに含む、項目１５に記載の方法。
（項目１９Ａ）
上記第１の数のアンテナから信号を受信する相互運用性が上記ユーザ機器に認証されているかどうかという指示を受信することは、特徴グループインジケータの一部として該指示を受信することを含む、項目１５に記載の方法。
（項目２０Ａ）
上記指示が、上記第１の数のアンテナの相互運用性が上記ユーザ機器に認証されていることを特定する場合、第２の数のアンテナが制御チャネル上の通信に使用され、該第１の数のアンテナがユーザ機器特有の物理ダウンリンク共有チャネル上の通信に使用される、項目１５に記載の方法。
（項目２１Ａ）
ＰＨＩＣＨグループにおいて、同じアンテナ構成を伴う物理ハイブリッドＡＲＱチャネル（ＰＨＩＣＨ）をグループ化することをさらに含む、項目１５に記載の方法。
（項目２２Ａ）
ＰＨＩＣＨグループにおいて、異なるアンテナ構成を伴う物理ハイブリッドＡＲＱチャネル（ＰＨＩＣＨ）をグループ化することをさらに含む、項目１５に記載の方法。
（項目２３Ａ）
上記指示が、上記第１の数のアンテナの相互運用性が上記ユーザ機器に認証されていることを特定する場合、第２の数のアンテナが共通制御チャネル上の通信に使用され、該第１の数のアンテナがユーザ機器特有のチャネル上の通信に使用される、項目１５に記載の方法。
（項目２４Ａ）
上記指示が、上記第１の数のアンテナの相互運用性が上記ユーザ機器に認証されていないことを特定する場合、第２の数のアンテナが全チャネル上の通信に使用される、項目１５に記載の方法。
（項目２５Ａ）
上記指示が、上記第１の数のアンテナの相互運用性が上記ユーザ機器によって認証されていないことを特定する場合、該第１の数のアンテナが制御チャネル上の通信に使用され、第２の数のアンテナがユーザ機器特有の物理ダウンリンク共有チャネル上の通信に使用される、項目１５に記載の方法。
（項目２６Ａ）
上記指示が、上記第１の数のアンテナの相互運用性が上記ユーザ機器によって認証されていないことを特定する場合、該第１の数のアンテナがユーザ機器特有の制御チャネル上の通信に使用され、該第１の数のアンテナおよび第２の数のアンテナがユーザ機器特有の物理ダウンリンク共有チャネル上の通信に使用される、項目１５に記載の方法。
（項目２７Ａ）
上記第１の数のアンテナおよび上記第２の数のアンテナは、伝送ダイバーシティおよび空間多重化のうちの１つを使用して伝送する、項目２６に記載の方法。
（項目２８Ａ）
上記指示が、上記第１の数のアンテナの相互運用性が上記ユーザ機器に認証されていることを特定する場合、該第１の数のアンテナが全チャネル上の通信に使用される、項目１５に記載の方法。
（項目２９Ａ）
動作中、ユーザ機器に、
制御チャネルメッセージを受信することと、
該制御チャネルメッセージを復号することと、
第１の数のアンテナから信号を受信する相互運用性が該ユーザ機器に認証されているかどうかという指示を送信することと
を行わせる、有形コンピュータ読み取り可能媒体上に記憶されたハードウェアおよびソフトウェアを含む、ユーザ機器。
（項目３０Ａ）
上記制御チャネルメッセージは、上記ネットワークのアンテナ能力を示すように符号化される、項目２９に記載のユーザ機器。
（項目３１Ａ）
上記制御チャネルメッセージは、２つのアンテナを使用して送信され、上記符号化することは、上記ネットワークが４つの伝送アンテナを使用することが可能であることを示す、項目３０に記載のユーザ機器。
（項目３２Ａ）
上記有形コンピュータ読み取り可能媒体上に記憶された上記ハードウェアおよびソフトウェアは、動作中、上記ユーザ機器に、無線リソース制御を通して、上記ネットワークが４つの伝送アンテナを使用することが可能であるという信号伝達を受信させる、項目２９に記載のユーザ機器。
（項目３３Ａ）
上記第１の数のアンテナから信号を受信する相互運用性が上記ユーザ機器に認証されているかどうかという指示を送信することは、特徴グループインジケータの一部として該指示を送信することを含む、項目２９に記載のユーザ機器。
（項目３４Ａ）
上記指示が、上記第１の数のアンテナの相互運用性が上記ユーザ機器に認証されていることを特定する場合、第２の数のアンテナが制御チャネル上の通信に使用され、該第１の数のアンテナがユーザ機器特有の物理ダウンリンク共有チャネル上の通信に使用される、項目２９に記載のユーザ機器。
（項目３５Ａ）
同じアンテナ構成を伴う物理ハイブリッドＡＲＱチャネル（ＰＨＩＣＨ）は、ＰＨＩＣＨグループにおいてグループ化される、項目２９に記載のユーザ機器。
（項目３６Ａ）
異なるアンテナ構成を伴う物理ハイブリッドＡＲＱチャネル（ＰＨＩＣＨ）は、ＰＨＩＣＨグループにおいてグループ化される、項目２９に記載のユーザ機器。
（項目３７Ａ）
上記指示が、上記第１の数のアンテナの相互運用性が上記ユーザ機器に認証されていることを特定する場合、第２の数のアンテナが共通制御チャネル上の通信に使用され、該第１の数のアンテナがユーザ機器特有のチャネル上の通信に使用される、項目２９に記載のユーザ機器。
（項目３８Ａ）
上記指示が、上記第１の数のアンテナの相互運用性が上記ユーザ機器に認証されていないことを特定する場合、第２の数のアンテナが全チャネル上の通信に使用される、項目２９に記載のユーザ機器。
（項目３９Ａ）
上記指示が、上記第１の数のアンテナの相互運用性が上記ユーザ機器によって認証されていないことを特定する場合、該第１の数のアンテナが制御チャネル上の通信に使用され、第２の数のアンテナがユーザ機器特有の物理ダウンリンク共有チャネル上の通信に使用される、項目２９に記載のユーザ機器。
（項目４０Ａ）
上記指示が、上記第１の数のアンテナの相互運用性が上記ユーザ機器によって認証されていないことを特定する場合、該第１の数のアンテナがユーザ機器特有の制御チャネル上の通信に使用され、該第１の数のアンテナおよび第２の数のアンテナがユーザ機器特有の物理ダウンリンク共有チャネル上の通信に使用される、項目２９に記載のユーザ機器。
（項目４１Ａ）
上記第１の数のアンテナおよび上記第２の数のアンテナは、伝送ダイバーシティおよび空間多重化のうちの１つを使用して伝送する、項目４０に記載のユーザ機器。
（項目４２Ａ）
上記指示が、上記第１の数のアンテナの相互運用性が上記ユーザ機器に認証されていることを特定する場合、該第１の数のアンテナが全チャネル上の通信に使用される、項目２９に記載のユーザ機器。
（項目４３Ａ）
動作中、ネットワーク機器に、
制御チャネルメッセージを符号化することと、
該符号化された制御チャネルメッセージを送信することと、
第１の数のアンテナから信号を受信する相互運用性が該ユーザ機器に認証されているかどうかという指示を受信することと
によって、ユーザ機器との通信を確立させる、有形コンピュータ読み取り可能媒体上に記憶されたハードウェアおよびソフトウェアを含む、ネットワーク機器。
（項目４４Ａ）
上記符号化された制御チャネルメッセージは、上記ネットワークのアンテナ能力を示す、項目４３に記載のネットワーク機器。
（項目４５Ａ）
上記符号化された制御チャネルメッセージは、２つのアンテナを使用して送信され、上記符号化することは、上記ネットワークが４つの伝送アンテナを使用することが可能であることを示す、項目４４に記載のネットワーク機器。
（項目４６Ａ）
無線リソース制御を通して、上記ネットワークが４つの伝送アンテナを使用することが可能であるという信号伝達を送信することをさらに含む、項目４３に記載のネットワーク機器。
（項目４７Ａ）
上記第１の数のアンテナから信号を受信する相互運用性が上記ユーザ機器に認証されているかどうかという指示を受信することは、特徴グループインジケータの一部として該指示を受信することを含む、項目４３に記載のネットワーク機器。
（項目４８Ａ）
上記指示が、上記第１の数のアンテナの相互運用性が上記ユーザ機器に認証されていることを特定する場合、第２の数のアンテナが制御チャネル上の通信に使用され、該第１の数のアンテナがユーザ機器特有の物理ダウンリンク共有チャネル上の通信に使用される、項目４３に記載のネットワーク機器。
（項目４９Ａ）
ＰＨＩＣＨグループにおいて、同じアンテナ構成を伴う物理ハイブリッドＡＲＱチャネル（ＰＨＩＣＨ）をグループ化することをさらに含む、項目４３に記載のネットワーク機器。
（項目５０Ａ）
ＰＨＩＣＨグループにおいて、異なるアンテナ構成を伴う物理ハイブリッドＡＲＱチャネル（ＰＨＩＣＨ）をグループ化することをさらに含む、項目４３に記載のネットワーク機器。
（項目５１Ａ）
上記指示が、上記第１の数のアンテナの相互運用性が上記ユーザ機器に認証されていることを特定する場合、第２の数のアンテナが共通制御チャネル上の通信に使用され、該第１の数のアンテナがユーザ機器特有のチャネル上の通信に使用される、項目４３に記載のネットワーク機器。
（項目５２Ａ）
上記指示が、上記第１の数のアンテナの相互運用性が上記ユーザ機器に認証されていないことを特定する場合、第２の数のアンテナが全チャネル上の通信に使用される、項目４３に記載のネットワーク機器。
（項目５３Ａ）
上記指示が、上記第１の数のアンテナの相互運用性が上記ユーザ機器によって認証されていないことを特定する場合、該第１の数のアンテナが制御チャネル上の通信に使用され、第２の数のアンテナがユーザ機器特有の物理ダウンリンク共有チャネル上の通信に使用される、項目４３に記載のネットワーク機器。
（項目５４Ａ）
上記指示が、上記第１の数のアンテナの相互運用性が上記ユーザ機器によって認証されていないことを特定する場合、該第１の数のアンテナがユーザ機器特有の制御チャネル上の通信に使用され、該第１の数のアンテナおよび第２の数のアンテナがユーザ機器特有の物理ダウンリンク共有チャネル上の通信に使用される、項目４３に記載のネットワーク機器。
（項目５５Ａ）
上記第１の数のアンテナおよび上記第２の数のアンテナは、伝送ダイバーシティおよび空間多重化のうちの１つを使用して伝送する、項目５４に記載のネットワーク機器。
（項目５６Ａ）
上記指示が、上記第１の数のアンテナの相互運用性が上記ユーザ機器に認証されていることを特定する場合、該第１の数のアンテナが全チャネル上の通信に使用される、項目４３に記載のネットワーク機器。
【図４】
0005525606.tif 000016
【図１】
0005525606.tif 000017
【図２】
0005525606.tif 000018
【図３】
0005525606.tif 000019
【図５】
0005525606.tif 000020
【図６】
0005525606.tif 000021
【図７】
0005525606.tif 000022